(57)【特許請求の範囲】
【請求項１】
ユーザ装置（ＵＥ）をロングタームエボリューション（ＬＴＥ）ネットワークとシステムアーキテクチャエボリューション（ＳＡＥ）ネットワークとに接続させながら、該ＵＥを回線交換型（ＣＳ）ネットワークによって提供されるＣＳサービスにアクセスできるようにする方法であって、
前記ＳＡＥネットワークはパケット交換型ネットワークの一部であり、前記ＵＥの現在位置はＬＴＥの位置表現フォーマットにしたがって前記ＬＴＥネットワークまたは前記ＳＡＥネットワークに記憶されており、
前記方法は、
・前記ＬＴＥの位置表現フォーマットにより表現された前記ＵＥの現在位置をＣＳにおける位置表現フォーマットに変換する変換ステップと、
・前記ＣＳにおける位置表現フォーマットに変換された前記ＵＥの現在位置を用いて、前記ＵＥを前記ＣＳネットワークに登録する登録ステップと、
・前記ＣＳネットワークによって提供されるＣＳサービスへのアクセスを確立する確立ステップと
を有することを特徴とする方法。
【請求項２】
前記変換ステップで使用される前記ＬＴＥの位置表現フォーマットにより表現された前記ＵＥの現在位置の情報は、ＬＴＥのセル識別情報、エリア追跡（ＴＡ）識別情報、または、該ＬＴＥのセル識別情報とエリア追跡（ＴＡ）識別情報とを組み合わせた情報であることを特徴とする請求項１に記載の方法。
【請求項３】
前記変換ステップは、前記ＵＥが在圏しているネットワークを制御する移動性管理エンティティ（ＭＭＥ）ノード装置によって実行されるステップであることを特徴とする請求項１または２に記載の方法。
【請求項４】
前記変換ステップは、前記ＣＳネットワークにおいて前記ＵＥが在圏しているＭＳＣ／ＶＬＲノード装置によって実行されるステップであることを特徴とする請求項１または２に記載の方法。
【請求項５】
前記変換ステップは、前記ＵＥが在圏しているセルのｅＮｏｄｅ Ｂノード装置によって実行されるステップであることを特徴とする請求項１または２に記載の方法。
【請求項６】
前記ＬＴＥネットワークおよび前記ＳＡＥネットワークにおける前記ＵＥの現在位置の情報はＴＡアップデートによって定期的に更新され、移動性管理エンティティ（ＭＭＥ）装置は、ＴＡアップデートの際に前記ＣＳネットワークにおける前記ＵＥの現在位置の情報を更新する前記ＣＳネットワークのＭＳＣ／ＶＬＲノード装置に対する位置登録エリア（ＬＡ）更新処理を担当しており、前記ＭＭＥ装置は、前記ＵＥが在圏しているＬＴＥネットワークのＴＡに関する制御を実行しており、前記ＭＳＣ／ＶＬＲノード装置は、前記ＵＥが在圏しているエリアをカバーしている前記ＣＳネットワークのＬＡに関する制御を実行しており、
前記ＬＡ更新処理には、
・前記ＭＭＥ装置がＴＡアップデートの際に前記ＵＥの識別情報を前記ＭＳＣ／ＶＬＲノード装置に登録するステップ
が含まれていることを特徴とする請求項１または２に記載の方法。
【請求項７】
移動性管理エンティティ（ＭＭＥ）装置は、前記ＣＳネットワークにおける前記ＵＥの現在位置の情報を更新するための前記ＣＳネットワークのＭＳＣ／ＶＬＲノード装置に対する位置登録エリア（ＬＡ）更新処理を担当しており、前記ＭＭＥ装置は、前記ＵＥが在圏しているＬＴＥネットワークのＴＡに関する制御を実行しており、前記ＭＳＣ／ＶＬＲノード装置は、前記ＵＥが在圏しているエリアをカバーしている前記ＣＳネットワークのＬＡに関する制御を実行しており、
前記ＬＡ更新処理には、
・前記ＭＭＥ装置が、定期的なＬＡアップデートのためのタイマーに基づいて定期的に前記ＵＥの識別情報を前記ＭＳＣ／ＶＬＲノード装置に登録するステップ
が含まれていることを特徴とする請求項１または２に記載の方法。
【請求項８】
移動性管理エンティティ（ＭＭＥ）装置は、前記ＣＳネットワークにおける前記ＵＥの現在位置の情報を更新する前記ＣＳネットワークのＭＳＣ／ＶＬＲノード装置に対する位置登録エリア（ＬＡ）更新処理を担当しており、前記ＭＭＥ装置は、前記ＵＥが在圏しているＬＴＥネットワークのＴＡに関する制御を実行しており、前記ＭＳＣ／ＶＬＲノード装置は、前記ＵＥが在圏しているエリアをカバーしている前記ＣＳネットワークのＬＡに関する制御を実行しており、
前記ＬＡ更新処理には、
・前記ＭＭＥ装置が、ＬＴＥアクティブモビリティ（ＬＴＥ＿ａｃｔｉｖｅ Ｍｏｂｉｌｉｔｙ）タイプの位置更新が実行されるときに、前記ＵＥの識別情報を前記ＭＳＣ／ＶＬＲノード装置に登録するステップ
が含まれることを特徴とする請求項１または２に記載の方法。
【請求項９】
前記ＵＥは、前記ＣＳネットワークにおける前記ＵＥの現在位置の情報を更新するための前記ＣＳネットワークのＭＳＣ／ＶＬＲノード装置に対する位置登録エリア（ＬＡ）更新処理を担当しており、前記ＭＳＣ／ＶＬＲノード装置は、前記ＵＥが在圏している前記ＣＳネットワークのセルを制御しており、
前記ＬＡ更新処理には、
・前記ＵＥが、該ＵＥが接続している前記ＬＴＥネットワークおよび前記ＳＡＥネットワークを介して前記ＭＳＣ／ＶＬＲノード装置にＬＡアップデート情報を送信するステップ
が含まれることを特徴とする請求項１または２に記載の方法。
【請求項１０】
前記確立ステップは、前記ＣＳネットワークからの着呼を前記ＵＥが受信できるようにするステップを有し、該ステップは、
・前記ＵＥが、前記ＬＴＥネットワークおよび前記ＳＡＥネットワークを介して前記ＣＳネットワークからの前記着呼に関連したページングリクエストを受信するステップと、
前記ＵＥが、前記ＣＳネットワークと接続し、前記ＣＳネットワークからの前記ページングリクエストに応答するステップと
を有することを特徴とする請求項１または２に記載の方法。
【請求項１１】
前記ページングリクエストには、前記ＵＥが前記ページングリクエストに応答することを許可された前記ＣＳネットワークにおける位置登録エリア（ＬＡ）の少なくとも１つを示す情報が含まれていることを特徴とする請求項１０に記載の方法。
【請求項１２】
前記確立ステップは、前記ユーザ装置（ＵＥ）が前記ＬＴＥネットワークおよび前記ＳＡＥネットワークと接続したまま前記ＣＳネットワークからの発呼を開始するステップを有し、該ステップは、
・前記ＵＥが、前記ＣＳネットワークに接続するステップと、
・前記ＵＥが、前記ＣＳネットワークにおいて該ＣＳネットワークからの発呼を開始するステップと
を有することを特徴とする請求項１または２に記載の方法。
【請求項１３】
回線交換型（ＣＳ）ネットワークと、ロングタームエボリューション（ＬＴＥ）ネットワークと、システムアーキテクチャエボリューション（ＳＡＥ）ネットワークとを備えた無線通信システムのノード装置であって、
前記ノード装置には、ユーザ装置（ＵＥ）の現在位置がＬＴＥの位置表現フォーマットにしたがって記憶されており、
前記ノード装置は、前記ＬＴＥの位置表現フォーマットにより表現された前記ＵＥの現在位置をＣＳにおける位置表現フォーマットに変換する処理手段を備えている
ことを特徴とするノード装置。
【請求項１４】
前記ノード装置は、前記ＳＡＥネットワークにおける移動性管理エンティティ（ＭＭＥ）であることを特徴とする請求項１３に記載のノード装置。
【発明の詳細な説明】
【技術分野】
【０００１】
本発明は、移動無線通信における方法および装置に関する。詳細には、本発明は、ＬＴＥ／ＳＡＥ（Ｌｏｎｇ  Ｔｅｒｍ  Ｅｖｏｌｕｔｉｏｎ／Ｓｙｓｔｅｍ  Ａｒｃｈｉｔｅｃｔｕｒｅ  Ｅｖｏｌｕｔｉｏｎ）ネットワークに接続するユーザ装置（ＵＥ）が回線交換型（ＣＳ）サービスにアクセスできるようにする方法および装置に関する。
【背景技術】
【０００２】
ますます豊富になるサービスや関連するライフスタイルに対する消費者の需要が高まるにつれて、移動通信ネットワークは進化するであろう。移動通信業界は、すでに、ワイヤレスブロードバンドサービスに対する需要の拡大に移動通信ネットワークが応じられるようにするための技術的解決策を定義しようと懸命に働いている。移動通信ネットワークは、驚異的なペースで発展し続けている。未来の移動通信ネットワークは多分、今日の数メガビットの固定接続のサービスを超えるようなサービスをサポートするであろうし、一方では今後１０年間は移動通信ネットワーク上のデータトラヒック量が今日のブロードバンド接続のデータトラヒック量を上回るであろう。そのようなネットワークを実現するであろう開発中の無線アクセス技術に、ユニバァーサル地上無線アクセスネットワーク（ＵＴＲＡＮ）のロングタームエボリューション（または略してＬＴＥ）という名前が付けられた。
【０００３】
ＬＴＥは、移動、固定、携帯ワイヤレスブロードバンドアクセスに用いられて、容量の増加、ネットワークの複雑性の減少、展開コストおよび運用コストの削減を目指すオペレータ各社に、多くの利点を提供すると予想される。これによってオペレータ各社は、コスト効率よく、より豊かなサービスを消費者に配信することができるようになり、移動通信データの解決策に対する高まる需要に応えることができるであろう。
【０００４】
ＬＴＥは、移動通信ネットワークに対する新たな無線接続を定義し、Ｗｉ−Ｆｉ、ＷｉＭＡＸ、そしてＤＶＢおよびＤＡＢデジタルブロードキャスティング技術の基礎であって広く用いられている変調技術である直交周波数分割多重（ＯＦＤＭ）を利用するであろう。ＬＴＥの目標は、ダウンリンクでは１００Ｍｂｐｓほどの帯域幅の増加を、アップリンクでは最大５０Ｍｂｐｓを示唆している。しかし、この見込まれる帯域幅の増加は、ＬＴＥが提供を目指す全体的な向上のほんの一部でしかない。ＬＴＥは、データトラヒックについて最適化されており、２Ｇ  ＧＳＭおよび３Ｇ  ＵＭＴＳネットワークの場合のように、別個の、回線交換型音声ネットワークの機能を備えていないであろう。
【０００５】
ＬＴＥは、第三世代パートナシッププロジェクト（３ＧＰＰ）の中で開発中であり、３Ｇ  ＲＡＮ（第三世代無線アクセスネットワーク）の進化に焦点を当てている。３ＧＰＰでは、コアネットワークの進化に焦点を当てているＳＡＥ（システム・アーキテクチャ・エボリューション）と呼ばれる作業項目も存在する。ＬＴＥもＳＡＥもどちらも、パケット限定のシステムを開発することに重点を置いている。ＬＴＥおよびＳＡＥは、ＣＳサービスの共存を十分考慮しない状態で仕様が定められている。
【０００６】
しかし、一定の事例でＣＳ領域との相互作用が必要となる可能性が浮上してきている。例えば、ＶｏＩＰ（インターネットプロトコルを介した音声通話サービス）を提供できないエリアに進入する端末へのＶｏＩＰ接続のための移動性を処理する場合などである。一部のさまざまな解決策についての議論の詳細は、非特許文献１に記載されている。
【先行技術文献】
【非特許文献】
【０００７】
【非特許文献１】２００６年１１月に刊行された３ＧＰＰ技術報告書ＴＲ２３．８８２  ｖ１．５．０「３ＧＰＰ  Ｓｙｓｔｅｍ  Ａｒｃｈｉｔｅｃｔｕｒｅ  Ｅｖｏｌｕｔｉｏｎ：Ｒｅｐｏｒｔ  ｏｎ  Ｔｅｃｈｎｉｃａｌ  Ｏｐｔｉｏｎｓ  ａｎｄ  Ｃｏｎｃｌｕｓｉｏｎｓ」
【発明の概要】
【発明が解決しようとする課題】
【０００８】
本発明の目的は、ＵＥがＬＴＥネットワークに接続する一方でＣＳサービスにアクセスできるようにすることである。
【課題を解決するための手段】
【０００９】
この目的は、ユーザ装置（ＵＥ）が回線交換型（ＣＳ）サービスにアクセスできるようにする方法によって、および、本発明の多様な実施形態による、無線通信システムにおけるノードと、ＵＥと、移動性管理エンティティ（Ｍｏｂｉｌｅ  Ｍａｎａｇｉｎｇ  Ｅｎｔｉｔｙ：ＭＭＥ）と、移動通信交換局とによって達成される。
【００１０】
本発明の基本概念は、ＣＳサービスも提供されているエリアの中に位置するＬＴＥネットワーク内のＵＥが、着信するＣＳ呼を受信することとＣＳ呼を発信することができるようにすることである。本発明による解決策は、ＬＴＥの位置表現形式（フォーマット）でのＵＥ位置情報をＣＳフォーマットに変換して、ＵＥをＣＳネットワーク内で登録することに関わる。
【００１１】
本発明の第１の実施形態は、Ｌｏｎｇ  Ｔｅｒｍ  Ｅｖｏｌｕｔｉｏｎ（ＬＴＥ）ネットワークおよびＳｙｓｔｅｍ  Ａｒｃｈｉｔｅｃｔｕｒｅ  Ｅｖｏｌｕｔｉｏｎ（ＳＡＥ）ネットワークに接続する一方で、ＣＳネットワークによって提供される回線交換型（ＣＳ）サービスにユーザ装置（ＵＥ）がアクセスできるようにする方法を提供するものであり、そのＳＡＥネットワークはパケット交換型（ＰＳ）コアネットワークの一部である。ＵＥの現在位置は、ＬＴＥネットワークまたはＳＡＥネットワークの中にＬＴＥ位置フォーマットで記憶される。方法は、以下のステップを含む。
【００１２】
−ＬＴＥフォーマットでのＵＥの位置をＵＥについてのＣＳフォーマットでの位置情報へ変換する、
−前記変換された位置情報を用いてＣＳネットワークの中にＵＥを登録する、
−前記ＣＳネットワークによって提供されるＣＳサービスへのアクセスを確立する。
【００１３】
本発明の別の実施形態は、回線交換型（ＣＳ）ネットワークとＬｏｎｇ  Ｔｅｒｍ  Ｅｖｏｌｕｔｉｏｎ（ＬＴＥ）ネットワークと、Ｓｙｓｔｅｍ  Ａｒｃｈｉｔｅｃｔｕｒｅ  Ｅｖｏｌｕｔｉｏｎ（ＳＡＥ）ネットワークとを備えた無線通信システムにおけるノードを提供する。ユーザ装置（ＵＥ）の現在位置はＬＴＥ位置フォーマットで記憶され、この場合、ノードは、ＬＴＥフォーマットでのＵＥの位置をＣＳフォーマットでの位置情報に変換する処理手段を含む。
【００１４】
本発明の別の実施形態は、無線通信システムにおいて使用されるユーザ装置（ＵＥ）を提供する。前記ＵＥは、パケット交換型Ｌｏｎｇ  Ｔｅｒｍ  Ｅｖｏｌｕｔｉｏｎ（ＬＴＥ）ネットワークおよびＳｙｓｔｅｍ  Ａｒｃｈｉｔｅｃｔｕｒｅ  Ｅｖｏｌｕｔｉｏｎ（ＳＡＥ）ネットワークと通信するための手段と、そしてその中で回線交換型（ＣＳ）ネットワークと通信するための手段とを含む。前記ＵＥはさらに、ＣＳネットワークに接続するための手段と、着信する回線交換型（ＣＳ）呼を受信するための手段とを含む。ＵＥはさらに、前記ＬＴＥネットワークとＳＡＥネットワークとを経てＣＳネットワークから着信する前記ＣＳ呼に関するページングリクエスト（呼び出し要求）を受信するための手段と、ＣＳネットワーク内で呼び出し要求に応答するための手段とを含む。
【００１５】
さらに本発明の一実施形態は、Ｌｏｎｇ  Ｔｅｒｍ  Ｅｖｏｌｕｔｉｏｎ（ＬＴＥ）ネットワークに接続するＳｙｓｔｅｍ  Ａｒｃｈｉｔｅｃｔｕｒｅ  Ｅｖｏｌｕｔｉｏｎ（ＳＡＥ）ネットワークにおいて用いられる移動性管理エンティティ（ＭＭＥ）を提供する。ＭＭＥは、前記ＬＴＥネットワークに接続するユーザ装置（ＵＥ）に着信するＣＳ呼に関する呼び出し要求メッセージをＣＳネットワークから受信するための手段と、呼び出し要求をＬＴＥネットワーク内のＵＥへ転送するための手段とを含む。
【００１６】
さらに、本発明の一実施形態は、移動通信交換局（Ｍｏｂｉｌｅ  Ｓｅｒｖｉｃｅ  Ｓｗｉｔｃｈｉｎｇ  Ｃｅｎｔｅｒ（ＭＳＣ））と、回線交換型（ＣＳ）ネットワーク内で使用される在圏位置レジスタ（Ｖｉｓｉｔｏｒ  Ｌｏｃａｔｉｏｎ  Ｒｅｇｉｓｔｅｒ（ＶＬＲ））とを提供する。前記ＭＳＣ／ＶＬＲは、ユーザ装置（ＵＥ）を制御する移動性管理エンティティ（ＭＭＥ）に関する情報と共にＵＥを登録するための手段を含み、かつ、そのＵＥおよびＭＭＥは、少なくともＳｙｓｔｅｍ  Ａｒｃｈｉｔｅｃｔｕｒｅ  Ｅｖｏｌｕｔｉｏｎ（ＳＡＥ）ネットワークを含むパケット交換領域に位置し、そして前記ＭＳＣ／ＶＬＲは、ＵＥについてのＣＳ呼を受信する場合には、ページ要求を生成してＭＭＥへ送信するための手段も含む。
【００１７】
本発明の利点は、本発明が、ＬＴＥネットワークに接続するＵＥにＣＳサービスを提供することを目的として、ＣＳサービスについての既存のネットワーク、例えばＷＣＤＭＡまたはＧＳＭネットワークを、使用する可能性を提供することである。従って、ＬＴＥが３ＧＰＰベースのレガシーネットワークと相互接続することが可能になり、それによってサービスの連続性が可能になる。本発明のもう１つの利点は、ＣＳサービスのユーザに対応するＰＳタイプのサービスへの円滑な移動、例えば、ＣＳ音声の（パケット領域を介して提供される）ＶｏＩＰへの移動、をオペレータが提供できるようになるであろうということであり、なぜなら、オペレータは、ＰＳタイプのサービスと並行してＣＳサービスを提供し続けて、（仮にそうであるならば）適切な時間に移動を行うことができるからである。
【図面の簡単な説明】
【００１８】
【図１】移動無線通信システムを示す概略ブロック図である。
【図２】本発明の一実施形態が実装される通信システムを示す概略ブロック図である。
【図３】本発明による方法の一実施形態を示すフローチャートである。
【図４】セル、位置登録エリアおよび追跡エリアの、ＬＴＥネットワークと２Ｇ／３Ｇシステムのセル・インフラストラクチャ間の照合の一例を示す概略ブロック図である。
【図５】アクセスを可能にするための本発明の第１の実施形態を示すフローチャートである。
【図６】本発明による方法の一実施形態を示すフローチャートである。
【図７】状態がＬＴＥ＿Ｉｄｌｅである場合の本発明による登録プロセスの異なった実施形態を示すフローチャートである。
【図８】状態がＬＴＥ＿Ｉｄｌｅである場合の本発明による登録プロセスの異なった実施形態を示すフローチャートである。
【図９】状態がＬＴＥ＿Ｉｄｌｅである場合の本発明による登録プロセスの異なった実施形態を示すフローチャートである。
【図１０】状態がＬＴＥ＿Ａｃｔｉｖｅである場合の本発明による登録プロセスの異なった実施形態を示すフローチャートである。
【図１１】状態がＬＴＥ＿Ａｃｔｉｖｅである場合の本発明による登録プロセスの異なった実施形態を示すフローチャートである。
【図１２】状態がＬＴＥ＿Ａｃｔｉｖｅである場合の本発明による登録プロセスの異なった実施形態を示すフローチャートである。
【図１３】ＬＴＥ＿Ｉｄｌｅにおいて呼を受信するための本発明の異なった実施形態を示すフローチャートである。
【図１４】ＬＴＥ＿Ａｃｔｉｖｅにおいて呼を受信するための本発明の異なった実施形態を示すフローチャートである。
【図１５】呼を開始するための本発明の実施形態を示すフローチャートである。
【図１６】本発明によるＭＳＣ／ＶＬＲを備えた無線通信システムノードを略示するブロック図である。
【図１７】本発明による移動性管理エンティティを備えた無線通信システムノードを略示するブロック図である。
【図１８】本発明によるユーザ装置を備えた無線通信システムノードを略示するブロック図である。
【図１９】本発明によるｅＮｏｄｅ  Ｂを備えた無線通信システムノードを略示するブロック図である。
【発明を実施するための形態】
【００１９】
本発明を理解するには、まず、既知の技術による回線交換型（ＣＳ）サービスをサポートする移動無線通信システムのアーキテクチャと機能とを基本的に理解することが有益である。そのような通信システムを図１に略示する。
【００２０】
図１に示すシステムは、例えば、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎ）システムまたはＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムであってもよい。ＣＳサービスは、ＣＳ領域１０によって提供される。ＣＳ領域１０は、加入者が、例えば携帯電話、ノートパソコン、ＰＤＳ等のようなユーザ装置ＵＥを用いて呼を送受信することができるようにするために相互作用する、複数の異なるタイプのノードを含む。ＵＥは、無線アクセスネットワーク（Ｒａｄｉｏ  Ａｃｃｅｓｓ  Ｎｅｔｗｏｒｋ：ＲＡＮ）１１にアクセスすることができる。ＲＡＮは、システムが３Ｇシステムの場合には、複数の無線ネットワーク制御装置（Ｒａｄｉｏ  Ｎｅｔｗｏｒｋ  Ｃｏｎｔｒｏｌｌｅｒ：ＲＮＣ）および無線基地局（Ｒａｄｉｏ  Ｂａｓｅ  Ｓｔａｔｉｏｎ）を備え、システムが２Ｇシステムの場合には、複数の基地局制御装置（Ｂａｓｅ  Ｓｔａｔｉｏｎ  Ｃｏｎｔｒｏｌｌｅｒ：ＢＳＣ）を備える。ＲＮＣ／ＢＳＣノードは、図１では参照番号１２で示す。ＲＮＣ／ＢＳＣ１２は、それぞれ、位置登録エリア（Ｌｏｃａｔｉｏｎ  Ａｒｅａ）ＬＡの中のセル１６にサービス提供する複数の無線基地局２４を制御する。１つのＲＮＣ／ＢＳＣは、１つ以上の無線基地局２４を制御してもよく、従って、１つ以上のセル１６にサービス提供してもよい。ＲＮＣ／ＢＳＣは、それぞれ、ＣＳコアネットワーク２６の中の移動通信交換局（ＭＳＣ）１４に接続する。また、コアネットワーク２６は、例えばＰＳＴＮ（Ｐｕｂｌｉｃ  Ｓｗｉｔｃｈｅｄ  Ｔｅｌｅｐｈｏｎｅ  Ｎｅｔｗｏｒｋ）２８のような、他のネットワークに対するインタフェースを提供するゲートウェイＭＳＣ（ＧＳＭＣ）２２を含んでいてもよい。
【００２１】
また、図１のシステムは、ホーム位置レジスタ（Ｈｏｍｅ  Ｌｏｃａｔｉｏｎ  Ｒｅｇｉｓｔｅｒ：ＨＬＲ）１８と、在圏位置レジスタ（Ｖｉｓｉｔｅｄ  Ｌｏｃａｔｉｏｎ  Ｒｅｇｉｓｔｅｒ：ＶＬＲ）２０とを含む。ＶＬＲ２０は、ＭＳＣ１４と結合されて、ＭＳＣ／ＶＬＲを形成することが多い。また図１には、リモートに位置する、すなわちＭＳＣとは離れた位置にある、ＶＬＲ２０も示す。ＨＬＲは、ホーム加入者サーバ（Ｈｏｍｅ  Ｓｕｂｓｃｒｉｂｅｒ  Ｓｅｒｖｅｒ：ＨＳＳ）１９の一部であってもよい。
【００２２】
ＶＬＲまたはＭＳＣ／ＶＬＲは、ユーザがどの位置登録エリア（ＬＡ）に位置するかに関して、ユーザ（端末）の現在位置を維持する。ＭＳＣ／ＶＬＲにおけるユーザの登録は、定期的に、また、ユーザが新たなＬＡに移動した場合にはいつでも、行われる。ＨＬＲ１８は、すべてのアクティブなユーザ、すなわち、システムに接続しているユーザを追跡し、ユーザが登録されているＭＳＣ／ＶＬＲに関してユーザの現在位置を維持する。呼を発信したり着信する呼を受信したりすることができるようにするためには、ユーザはＭＳＣ／ＶＬＲに登録されなければならず、ＭＳＣ／ＶＬＲは、ＨＬＲによって知られる必要がある。
【００２３】
呼が着信すると、ＧＭＳＣ２２は、ＨＬＲ１８にユーザの位置を尋ねる。ＨＬＲは、どのＭＳＣ／ＶＬＲ、すなわちユーザが登録されているＭＳＣ／ＶＬＲ、に着呼をルーティングしなければならないかを添えて、ＧＭＳＣに応答する。いったん呼がＭＳＣ／ＶＬＲ１４にルーティングされたら、前記ＭＳＣ／ＶＬＲ１４は、典型的には、ユーザが登録されているＬＡ（ＶＬＲに記憶されたＬＡ）において、ページングをユーザに送信するであろう。ユーザは、ユーザに対する呼が完了できるように、ページングに応答する。
【００２４】
発信呼がユーザによって開始される。ユーザのＵＥは、呼を確立するためにＭＳＣ／ＶＬＲへ呼要求を送信する。呼は、ＭＳＣ／ＶＬＲからずっと着ユーザまで、例えばＰＳＴＮ（Ｐｕｂｌｉｃ  Ｓｗｉｔｃｈｅｄ  Ｔｅｌｅｐｈｏｎｅ  Ｎｅｔｗｏｒｋ）の中のユーザまで、ルーティングされる。発呼では、ユーザが呼の確立より前にＭＳＣ／ＶＬＲに登録されていることが重要である。なぜなら、ＭＳＣ／ＶＬＲは、登録の間にユーザデータをＨＬＲから検索するからである。このユーザデータは、どのサービスをユーザが用いる可能性があるかまたは用いる可能性がないか、どの補助的サービスがアクティブ／非アクティブか、（許可されている、許可されていない、制限されている等の）発信者番号表示パラメータに関する情報を含んでいるため、ＭＳＣ／ＶＬＲにおける呼処理には欠かせないものである。従って、ユーザは典型的には、すでに自分が登録されているＭＳＣ／ＶＬＲを介して呼を開始することに限って許可され、すなわち、登録は、発呼と着呼のどちらを成功させるにも不可欠である。
【００２５】
本発明の以下の明細書では、「ＬＡのセット（集合）」という表現が用いられるであろう。前記表現は、ＵＥが登録されているＬＡと、ＵＥが登録されているＭＳＣ／ＶＬＲによって制御されているＬＡのリストとを含むと解釈されるべきである。
【００２６】
さらに、本書では「リスト」という表現は、いずれかの電子的なフォーマットでのデータのセットと解釈されるべきである。
【００２７】
図２に、本発明が実装されて用いられてもよい通信システムを示す。システムは、ＣＳ領域とパケット交換型（ＰＳ）領域の両方を含む。ＣＳ領域は、少なくとも１つの回線交換型コアネットワーク（ＣＳ  ＣＮ）２６を含む。ＰＳ領域は、少なくとも１つのパケット交換型コアネットワーク（ＰＳ  ＣＮ）３６を含む。ＰＳ  ＣＮの一部が、ＳＡＥ（Ｓｙｓｔｅｍ  Ａｒｃｈｉｔｅｃｔｕｒｅ  Ｅｖｏｌｕｔｉｏｎ）ネットワーク３７である。ＬＴＥネットワーク３４は、ＬＴＥ３４によって制御されるＬＴＥセルに在圏するＵＥのためのアクセスネットワークである。ＬＴＥは、移動性管理エンティティノード（ＭＭＥ）４０に接続してそれと通信する複数のｅＮｏｄｅ  Ｂ２７を含む。ＬＴＥセルの中で、ｅＮｏｄｅ  Ｂ２７は、無線インタフェース２３を介して在圏ＵＥとのコンタクトを確立して維持することができるであろう。ＰＳ  ＣＮ３６は、複数のノードを含む。図２には、移動性管理エンティティノード（ＭＭＥ）とアクセスゲートウェイノード（Ａｃｃｅｓｓ  Ｇａｔｅｗａｙ  Ｎｏｄｅ：ＡＧＷ）４２という２つのノードだけが示されており、それらのノードは相互に通信することができ、ネットワーク内の他のエンティティおよび他のネットワーク内のエンティティとも通信することができる。ＡＧＷ４２は、例えばインターネットのような、他のパケットデータネットワークＰＤＮ３８をＰＳ  ＣＮ３６に接続する、インタフェースノードである。ＳＡＥのＭＭＥ４０は機能的に、サービスＧＰＲＳサポートノードＳＧＳＮに（ユーザプレーンの処理をせずに）対応し、従って、ＬＴＥのｅＮｏｄｅ  Ｂ２７と通信してそれらを管理するように構成される。
【００２８】
ＰＳ  ＣＮでは、ＳＧＳＮ４３は、ＧＰＲＳ／ＵＭＴＳネットワークにおけるＲＮＣ１２とコアネットワークの間のゲートウェイである。ＳＧＳＮ４３は、ＵＥ（移動通信加入者）の代わりにネットワークリソースへのアクセスを仲介して、異なるＱｏＳクラス間のパケットスケジューリングポリシーを実装する。ＳＧＳＮ４３は、起動時にＧＧＳＮ（ゲートウェイＧＰＲＳサポートノード）とパケットデータプロトコル（ＰＤＰ）コンテクストを確立する責任を持つ。前記ｅＮｏｄｅ  Ｂ２７は、ＷＣＤＭＡのＲＢＳに結合された無線ネットワーク制御装置ＲＮＣに対応する。
【００２９】
上記のように（図１を参照）、ＵＥは、ＲＡＮ３２の無線基地局２４のうちの１つを介してＣＳ  ＣＮ２６にアクセスするであろう。各ＲＡＮは、これも上記のように、ＭＳＣ／ＶＬＲ１４によって制御され管理される。ＣＳ  ＣＮのＧＭＳＣ２２は、ＰＳＴＮ２８からかまたはＰＳＴＮ２８への回線交換型通話呼を、ＭＳＣ／ＶＬＲ１４へ交換／ルーティングすることができる。しかし、ＵＥは、正しいＭＳＣ／ＶＬＲに、すなわちＵＥが現在在圏している位置登録エリアを制御するＭＳＣ／ＶＬＲに登録される必要がある。
【００３０】
本発明の基本的な考え方は、ＵＥがＬＴＥネットワーク３４に接続する一方でＣＳサービスにアクセスできるようにすることである。これは、オペレータのＣＳネットワークによってＣＳサービスが提供されるようなＣＳサービスにアクセスする手段をＵＥに提供することによって達成される。また、パケット限定アクセスのＬＴＥネットワークにいる場合であっても、着信ＣＳ呼が加入者に届くのを可能にするための手段も提供される。従って、通信の接続が、ＭＭＥ４０とＭＳＣ／ＶＬＲ１４の間で確立される。従ってＭＭＥ４０は、在圏ＵＥのためにＬｏｃａｔｉｏｎ  Ｕｐｄａｔｅを送信することができる。さらに、在圏ＵＥについての着呼は、ＭＳＣ／ＶＬＲ１４によって処理されるであろうし、ＭＳＣ／ＶＬＲ１４は、現在のＵＥへのＰａｇｅ  Ｒｅｑｕｅｓｔメッセージを生成して、ＭＭＥ４０とｅＮｏｄｅ  Ｂ２７とを介してＵＥへ送信する。前記のパスを図２に点線「Ｐａｇｅ」として示す。例えばページ要求から受信した情報、またはブロードキャストされた情報、または専用チャネル上の情報を使って、ＵＥは、ＲＡＮ３２を介してＣＳ領域へのアクセスを確立するように構成され、ＧＳＭ／ＷＣＤＭＡセルを制御し、かつ、着呼を処理する正しいＭＳＣ／ＶＬＲへＰａｇｅ  Ｒｅｓｐｏｎｓｅを送信する。前記パスは、点線でＰａｇｅ  Ｒｅｓｐｏｎｓｅ／Ｃａｌｌ  Ｓｅｔｕｐとして示す。また本発明は、発信呼の開始を可能にする。
【００３１】
ＵＥがＬＴＥ／ＳＡＥと２Ｇ／３Ｇとの間で切り替わる場合、ＡＧＷ４２は、同じＩＰアドレスが切り替えの後で維持されることを保証する。ＡＧＷは、ＩＰアドレスを割り当てている。
【００３２】
本発明の一実施形態は、ユーザ装置（ＵＥ）が、Ｌｏｎｇ  Ｔｅｒｍ  Ｅｖｏｌｕｔｉｏｎ（ＬＴＥ）およびシステムアーキテクチャ進化（ＳＡＥ）ネットワークに接続する一方でＣＳネットワークによって提供される回線交換型（ＣＳ）サービスにアクセスできるようにする方法に関する。ＵＥの現在位置が、ＬＴＥネットワークまたはＳＡＥネットワークの中でＬＴＥ位置フォーマットの中に記憶される。
【００３３】
前記方法を、図３のフローチャートに示す。
【００３４】
方法は、以下のステップを含む。
【００３５】
−ＬＴＥフォーマットでのＵＥの位置に関する位置情報を、ＣＳフォーマットでの位置情報に変換すること（ステップ１）、
−前記変換された位置情報を用いてＣＳネットワーク内にＵＥを登録すること（ステップ２）、
−前記ＣＳネットワークによって提供されるＣＳサービスへのアクセスを確立すること（ステップ３）。
【００３６】
上記のようにＣＳネットワーク内にＵＥを登録することによって、ＵＥは、着信ＣＳ呼を受信することと発信ＣＳ呼を発信することとを含むＣＳサービスにアクセスすることができる。本発明の実施形態によると、着呼は、ＵＥが（ＣＳサービスについて）ＬＴＥの中でページされる（呼び出される）ことを含むであろうし、そして、呼び出し応答が、ネットワークから提供された情報に導かれてＣＳ領域へ送信されるであろう。さらに、本発明の実施形態によると、発信呼は、ＵＥが登録されていてＣＳ呼を発信しているＣＳ領域にＵＥが接続することを含むであろう。
【００３７】
本発明は、ＣＳサービスをＰＳ領域に移動させることを、ＬＴＥおよびＳＡＥの展開とは切り離す。
【００３８】
変換ステップであるステップ１では、ＬＴＥ位置情報は、ＬＴＥセルＩＤか追跡エリアＴＡ  ＩＤかのいずれか一方か、あるいは、前記ＬＴＥセルＩＤと前記ＴＡ  ＩＤの組み合わせである。
【００３９】
ここで変換ステップについて図４を参照しながら説明しよう。この図は、２Ｇ／３Ｇ位置登録エリアＬＡのインフラストラクチャ５０と、２Ｇ／３Ｇセルと、ＬＴＥ追跡エリアＴＡと、ＬＴＥセルとを示す。
【００４０】
地理的エリアは、位置登録エリアＬＡ、ＬＡ１、ＬＡ２、ＬＡ３等でカバーされている。前記ＬＡの各々は、１つのＭＳＣ  ＰＯＯＬによって制御される。図４にはＭＳＣ  ＰＯＯＬ１およびＭＳＣ  ＰＯＯＬ２という２つのＭＳＣ  ＰＯＯＬがある。各ＭＳＣ  ＰＯＯＬは、ＭＳＣのセットで構成される。例えば、ＭＳＣ  ＰＯＯＬ１はＭＳＣ１：１、…、ＭＳＣ１：ｎを含み、ＭＳＣ  ＰＯＯＬ２はＭＳＣ２：１、…、ＭＳＣ２：ｎを含む。各ＬＡは、２Ｇ／３Ｇセルに分割される。セルの構造は、図１に関連させて示し、論じる。各セルは、無線ネットワーク制御装置ＲＮＣまたは基地局ＢＳＣによって管理され制御される。使用可能なＣＳ位置情報フォーマットの一例をあげると、セルＩＤおよび位置登録エリアＩＤ  ＬＡＩである。
【００４１】
ＬＴＥおよびＳＡＥシステムは、ＣＳ位置情報フォーマットとは別のフォーマットを用いる。ＬＴＥ位置情報フォーマットでは、トラッキングエリア（追跡エリア）ＩＤ  ＴＡＩおよびＬＴＥセルＩＤが用いられる。図４に示すように、追跡エリアは位置登録エリアを１つだけカバーするとは限らない。従って、ＬＡとＴＡの間には１対１対応は存在しない。従って、２つのフォーマット間で変換を行うことが必要である。この変換はマッピングプロセスであってもよい。従ってマッピングテーブルが提供されて記憶される。前記マッピングテーブルは、どのＴＡＩがどのセル１６またはＬＡＩに対応するかを定義してもよい。
【００４２】
図４では、追跡エリアＴＡ２が、２つの異なるＭＳＣまたはＭＳＣプールによってサービス提供される２つの位置登録エリアに渡って伸びることを示す。従って、ＬＡは、ＬＴＥセルレベルからマップされる必要がある。
【００４３】
ＭＭＥ４０は、ＬＴＥセルおよび追跡エリアＴＡのｅＮｏｄｅ  Ｂを制御して管理する。各ＴＡは、ＭＭＥ４２によって処理されて制御される。
【００４４】
本発明によれば、変換ステップは、移動性管理エンティティ（ＭＭＥ）ノード、ＭＳＣ／ＶＬＲノードまたはｅＮｏｄｅ  Ｂノードの中で行われてもよい。以下に、本発明の方法の登録ステップについて、複数の実施形態を参照しながら説明しよう。変換ステップを可能にするためには、ノードの記憶装置の１つの中でマッピングテーブルが利用可能でなければならない。従って、マッピングテーブルの記憶プロセスをすでに行っていることが必要である。そのようなマッピングテーブルは、システムのオペレータによって提供されてもよい。
【００４５】
マッピングテーブルは、所望の変換を達成するように設計されていることが望ましい。マッピングテーブルは、１つのエリアを別のエリアにつなぐ、例えばＬＴＥセルＩＤを位置登録エリアＩＤにつなぐ、少なくとも２つの列を備える。本明細書では、ＬＴＥセルから位置登録エリアへの変換、または追跡エリアから位置登録エリアへの変換、または前記マッピングテーブルの組み合わせが用いられる。しかし、マッピングテーブルは、列の数または変換の方向に関して既述の実施形態に限定されない。例えば、複数の追跡エリアを１つ以上の位置登録エリアにマッピングすることができるということに留意することが重要である。
【００４６】
ここで、登録の方法のステップであるステップ２と、アクセスのステップであるステップ３について、本発明の複数の実施形態に関連して説明して論じよう。
【００４７】
ここで、図５に関して、アクセスを、または最初のアクセスを可能にする第１の実施形態について述べよう。ＵＥは、位置登録エリア（ＬＡ）情報、例えばＩＤ、をＵＥが留まっているＬＴＥセルの中に提供されているブロードキャストチャネルのブロードキャストされた情報から取得する。
【００４８】
ステップ１１０でのデマンドに応じて、ユーザのＵＥが、Ａｔｔａｃｈ（接続）要求を生成してＬＴＥネットワークのｅＮｏｄｅＢを介してＳＡＥネットワークにある移動性管理エンティティＭＭＥへ送信するように構成される。前記ＭＭＥによってＡｔｔａｃｈ要求が受信されると、ステップ１１２で許可プロセスを開始して実行するように構成される。前記許可プロセスは、標準プロセスであり、従って、当業者には既知であるとみなされる。許可プロセスが終了してＵＥが受け入れられると、ステップ１１４でＭＭＥにおけるＬＴＥ登録プロセスが開始され、そこでＭＭＥは、ホーム加入者サーバ（ＨＳＳ）に登録する。ホーム加入者サーバは、呼／セッションを処理する通信システムエンティティをサポートするマスターユーザデータベースである。ユーザプロファイルを有しており、ユーザおよびホーム位置レジスタ（ＨＬＲ）の認証および許可を行う。
【００４９】
ＭＳＣ／ＶＬＲにおいてＵＥを適切に登録できるようにすることを目的として、ＵＥについてのＬＴＥ位置情報を、移動通信交換局および在圏位置レジスタＭＳＣ／ＶＬＲのための使用可能なフォーマットであるＣＳフォーマット位置情報に変換するために、変換ステップであるステップ１１６が行われる。変換ステップは、前記の注目セルのｅＮｏｄｅ  ＢとＭＭＥのうちいずれか一方で行われてもよい。
【００５０】
変換手順のステップが終了すると、ＣＳネットワークへの登録手順が開始される。Ｌｏｃａｔｉｏｎ  Ｕｐｄａｔｅ  Ｒｅｑｕｅｓｔがステップ１１８でＳＡＥの中のＭＭＥからＭＳＣ／ＶＬＲへ送信される。前記要求メッセージは、複数の情報パラメータ、例えば国際移動電話加入者ＩＤ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）ＩＭＳＩ、ＬＡＩ、旧ＬＡＩ，「Ａｔｔａｃｈ  ｉｎｄ」等を含む。ＭＳＣ／ＶＬＲは、ＵＥを登録して、ステップ１２０で、少なくともＳｕｉｔａｂｌｅ  ＬＡ（適切な位置登録エリア）と呼ばれるパラメータを含むＬｏｃａｔｉｏｎ  Ｕｐｄａｔｅ  Ａｃｃｅｐｔメッセージを使ってＭＭＥに応答する。Ｓｕｉｔａｂｌｅ  ＬＡは、ＵＥが登録されているＭＳＣ／ＶＬＲによって制御されるＬＡのリストである。パラメータは、ＭＭＥの中に記憶され、ＣＳネットワークへの登録手順は終了する。
【００５１】
登録手順の後、ＭＭＥは、ＵＥがＬＴＥを介して接続しているｅＮｏｄｅ  Ｂ局を介して、ステップ１２２でＳＡＥベアラ確立プロセスを実行するように構成される。ＳＡＥベアラは、ＧＳＭ／ＷＣＤＭＡにおけるＰＤＰコンテクストに相当する用語である。確立が終了すると、ＭＭＥは、ステップ１２４でＡｔｔａｃｈ  ＡｃｃｅｐｔメッセージをＵＥへ送信する。前記メッセージは、例えばＴＭＳＩ、ＬＡＩ、Ｓｕｉｔａｂｌｅ  ＬＡ等の、複数のパラメータを含む。ＵＥは、ステップ１２６で、Ａｔｔａｃｈ  ＣｏｎｆｉｒｍメッセージをＭＭＥへ送信することによって応答する。ＣＳネットワークによって提供される回線交換型（ＣＳ）サービスにユーザ装置（ＵＥ）がアクセスできるようにするプロセスは終了し、そして、ＵＥは、２Ｇ／３Ｇ標準を用いて回線交換型領域上で提供されるいずれかのＣＳサービス、例えば音声呼を開始することや音声呼を受信することを開始することが可能になる。
【００５２】
信号フローチャートで示すように、他の情報転送が任意でプロセスに含まれてもよい。例えば、ＴＭＳＩ  Ｒｅａｌｌｏｃａｔｉｏｎ  Ｃｏｍｐｌｅｔｅメッセージ（点線矢印で示す）が、ＭＭＥからＭＳＣ／ＶＬＲへ送信されてもよい。ここで図６に関して、アクセスを、または最初のアクセスを可能にする第２の実施形態について述べよう。図６のプロセスは、図５に述べた登録プロセスにおけるプロセスのステップに関して同様である。前記共通のステップ（同じ参照番号）については、再度記述はしない。従って、図５におけるプロセスの記述と同様のステップおよびプロセスに関して、参照が行われる。
【００５３】
２つのプロセス間の相違点は、変換ステップが実行される場所、すなわちノードである。本発明の第１の実施形態では、図５を参照すると、変換ステップ１１６は、ＭＭＥで実行される。第２の実施形態では、前記変換ステップは、ここではステップ１１９と表示するが、ＭＳＣ／ＶＬＲで行われる。従って、Ｌｏｃａｔｉｏｎ  Ｕｐｄａｔｅ  Ｒｅｑｕｅｓｔメッセージ、すなわちステップ１１８は、位置／場所情報の変換ステップ、すなわちステップ１１９が実行される前に、必要な情報と共にＭＭＥからＭＳＣ／ＶＬＲへ送信される。図５に示す実施形態と比べると、図６による実施形態では、前記必要な情報は、ＣＳフォーマットへのマッピングがステップ１１９においてＭＳＣ／ＶＬＲの中で行われることから、ＬＴＥフォーマットでのＵＥ位置情報を含む。
【００５４】
また本発明は、ＵＥの移動性に起因する登録方法に関する。例えば、ＵＥが１つのセルから別のセルへ移動する場合、レジスタのＵｐｄａｔｅプロセスが開始される。
【００５５】
本発明による登録プロセスのさまざまな実施形態について、図７乃至１２を参照しながら述べよう。登録プロセスは、ＵＥの移動性に起因して実行されるであろう。図７乃至９に示す例示する別形において、ＬＴＥネットワークは、ＬＴＥ＿Ｉｄｌｅの状態であろうが、ＬＴＥネットワークは、図１０乃至１２によって記述した実施形態ではＬＴＥ＿Ａｃｔｉｖｅの状態である。さらに、ＬＴＥ＿Ａｃｔｉｖｅでは、ＵＥとＬＴＥネットワーク間の接続が確立される。
【００５６】
図７では、移動性プロセスに起因する本発明の登録の第１の実施形態を、信号フローチャート図として示す。位置情報は、ｅＮｏｄｅ  Ｂブロードキャストチャネルから読み取られる。第１のステップ１４０では、ＵＥは、結合ＴＡ／ＬＡ  Ｕｐｄａｔｅ  Ｒｅｑｕｅｓｔメッセージかまたは複数のパラメータ、例えばＳ−ＴＭＳＩ（ＳＡＥ  ＴＭＳＩ）、旧ＬＡＩ、を備えたＬＡ  Ｕｐｄａｔｅ  Ｒｅｑｕｅｓｔメッセージかいずれか一方を、ＳＡＥネットワークのＭＭＥへ送信することによってＴＡ／ＬＡ  Ｕｐｄａｔｅを開始するように構成される。従って、ＵＥによってアクセスされたセルのＬＡＩが、ＬＴＥネットワークによって、結合ＴＡ／ＬＡ  Ｕｐｄａｔｅ  ＲｅｑｕｅｓｔメッセージかまたはＬＡ  Ｕｐｄａｔｅ  Ｒｅｑｕｅｓｔメッセージをトランスポートするのに用いられるメッセージの中で、ＳＡＥに提供される。
【００５７】
ＭＳＣ／ＶＬＲにおいてＵＥを適切に登録できるように、変換ステップ１４３は、ＵＥについてのＬＴＥ位置情報フォーマットを、移動通信交換局および在圏位置レジスタＭＳＣ／ＶＬＲのための使用可能なフォーマットであるＣＳ位置情報フォーマットへ変換することが必要である。変換ステップ１４３は、ｅＮｏｄｅ  Ｂ（選択肢１）とＭＭＥ（選択肢２）のうちいずれか一方において行われてもよい。
【００５８】
ＭＭＥにおけるＬＴＥ登録プロセスがステップ１４４で開始され、加入者情報が、ＨＬＲを備えたシステムであるホーム加入者システム（ＨＳＳ）から入手される。
【００５９】
ＣＳネットワークへの登録手順が開始される。Ｌｏｃａｔｉｏｎ  Ｕｐｄａｔｅ  Ｒｅｑｕｅｓｔがステップ１４６でＳＡＥの中のＭＭＥからＭＳＣ／ＶＬＲへ送信される。前記要求メッセージは、複数の情報パラメータ、例えば国際移動電話加入者ＩＤ  ＩＭＳＩ、ＬＡＩ、旧ＬＡＩ、「Ａｔｔａｃｈ  ｉｎｄ」等を含む。
【００６０】
登録プロセスステップにおいて、ＭＳＣ／ＶＬＲは、ＵＥを登録し、ステップ１４８で、Ｓｕｉｔａｂｌｅ  ＬＡ（適切な位置登録エリア）と呼ばれる少なくとも１つのパラメータを含むＬｏｃａｔｉｏｎ  Ｕｐｄａｔｅ  Ａｃｃｅｐｔメッセージを使ってＭＭＥに応答する。Ｓｕｉｔａｂｌｅ  ＬＡは、ＵＥが登録されているＭＳＣ／ＶＬＲによって制御されるＬＡのリストである。パラメータは、ＭＭＥの中に記憶され、ＣＳネットワークへの登録手順は終了する。
【００６１】
登録手順の後、ＭＭＥは、結合ＴＡ／ＬＡ  Ｕｐｄａｔｅ  ＡｃｋメッセージまたはＬＡ  Ｕｐｄａｔｅ  Ａｃｋメッセージ（どちらのメッセージかはステップ１４０の中で送信されるＲｅｑｕｅｓｔメッセージに依存する）をステップ１５０でＵＥへ送信するように構成される。前記メッセージは、複数のパラメータ、例えば、Ｓ−ＴＭＳＩ、ＬＡＩ、Ｓｕｉｔａｂｌｅ  ＬＡ等を含んでもよい。
【００６２】
これで、ＵＥは、例えば２Ｇ／３Ｇ標準を用いて回線交換型領域上で音声呼を開始することや音声呼を受信することのような、提供されたＣＳサービスであればいかなるサービスでも開始することができる。
【００６３】
信号フローチャートに示すように、その他の情報が任意でプロセスに含まれてもよい。例えば、ＴＭＳＩ  Ｒｅａｌｌｏｃａｔｉｏｎ  Ｃｏｍｐｌｅｔｅメッセージ（点線の矢印で示す）が、ステップ１５２でＵＥからＭＭＥへと、およびステップ１５４でＭＭＥからＭＳＣ／ＶＬＲへと送信されてもよい。
【００６４】
定期的ＬＡ  Ｕｐｄａｔｅは、定期的ＴＡ  Ｕｐｄａｔｅ（ＬＴＥとＣＳの間のタイマ調整）の一部としてかまたはＬＡ  Ｕｐｄａｔｅとしてかまたは、ＭＭＥによって自律的に行われることができる。定期的ＬＡ  Ｕｐｄａｔｅについては、本書の特別セクションにおいて詳細に記述しよう。
【００６５】
ここで本発明の登録プロセスの別の実施形態について、図８を参照しながら述べよう。図８のプロセスは、図７に述べた登録プロセスにおけるプロセスのステップに関して部分的に同様である。前記共通の同様のステップについては、重ねて説明することはないであろう。従って、同様のステップおよびプロセスに関しては、図７におけるプロセスの記述を参照する。主な相違点は、ＭＭＥが位置情報を知っており、位置情報はブロードキャストから読み取られるのではないという点である。
【００６６】
第１のステップ１４２では、ＵＥは、Ｓ−ＴＭＳＩパラメータを含むＴＡ  Ｒｅｑｕｅｓｔメッセージを送信することによってＴＡ  Ｕｐｄａｔｅを開始するように構成される。
【００６７】
ＭＭＥにおいて登録プロセス１４４が開始され、加入者情報がホーム加入者サーバ（ＨＳＳ）から取得される。
【００６８】
ＭＭＥは、追跡エリアＩＤ  ＴＡＩを知っているが、ＵＥを適切にＭＳＣ／ＶＬＲに登録するには、正しいＬＡおよびＭＳＣ／ＶＬＲを決定することを目的としてＬＴＥ位置情報フォーマットをＣＳ位置情報フォーマットに変換するため、変換ステップ１４５が必要である。
【００６９】
登録プロセスにおいて、ＭＭＥは、ステップ１４６でＬｏｃａｔｉｏｎ  ＲｅｑｕｅｓｔメッセージをＭＳＣ／ＶＬＲへ送信することによってＵＥを登録する。ＭＳＣ／ＶＬＲは、ステップ１４８で、Ｓｕｉｔａｂｌｅ  ＬＡ（適切な位置登録エリア）と呼ばれる少なくとも１つのパラメータを含むＬｏｃａｔｉｏｎ  Ｕｐｄａｔｅ  Ａｃｃｅｐｔメッセージを使ってＭＭＥに応答する。Ｓｕｉｔａｂｌｅ  ＬＡは、ＵＥが登録されているＭＳＣ／ＶＬＲによって制御されるＬＡのリストである。パラメータは、ＭＭＥの中に記憶され、ＣＳネットワークへの登録手順は終了する。
【００７０】
登録手順の後、ＭＭＥは、ステップ１５０で、ＴＡ  Ｕｐｄａｔｅ  ＡｃｋメッセージをＵＥへ送信する。前記メッセージは、複数のパラメータ、例えば、Ｓ−ＴＭＳＩ、ＬＡＩ、Ｓｕｉｔａｂｌｅ  ＬＡ等を含んでもよい。
【００７１】
定期的ＬＡ  Ｕｐｄａｔｅは、定期的ＴＡ  Ｕｐｄａｔｅ（ＬＴＥとＣＳの間のタイマ調整）の一部としてかまたはＬＡ  Ｕｐｄａｔｅとしてかまたは、ＭＭＥによって自律的に行われることができる。
【００７２】
ＬＴＥがＬＴＥ＿Ｉｄｌｅ状態である場合の本発明の登録プロセスのさらに別の実施形態について、図９を参照しながら述べよう。図９のプロセスは、図８に述べた登録プロセスにおけるプロセスのステップに関して部分的に同様である。従って、同様のステップ（同一の参照番号）およびプロセスに関しては、図８におけるプロセスの記述を参照する。
【００７３】
２つのプロセス間の相違点は、変換ステップがどこで、すなわちどのノードで行われるかである。図８を参照する本発明の方法の第２の実施形態では、変換ステップはＭＭＥで実行される。第３の実施形態では、前記変換ステップ（ステップ１４７）は、ＭＳＣ／ＶＬＲで行われる。従って、Ｌｏｃａｔｉｏｎ  Ｕｐｄａｔｅ  Ｒｅｑｕｅｓｔメッセージは、ステップ１４６で、位置／場所情報の変換ステップ、すなわちステップ１４７が実行される前に、必要な情報と共にＭＭＥからＭＳＣ／ＶＬＲへ送信される。
【００７４】
ＬＴＥ＿Ｉｄｌｅ状態にある（図９の）第３の実施形態においてさえ、定期的ＬＡ  Ｕｐｄａｔｅは、定期的ＴＡ  Ｕｐｄａｔｅ、すなわち、ＬＴＥとＣＳの間のタイマ調整、の一部としてかまたはＬＡ  Ｕｐｄａｔｅとしてかまたは、ＭＭＥによって自律的に行われることができる。
【００７５】
以下で、登録が移動性に起因する場合のＣＳアクセスについての登録プロセスの３つの異なる実施形態について、図１０乃至１２を参照しながら述べよう。３つの例すべてに共通なのは、ＬＴＥがＬＴＥ＿Ａｃｔｉｖｅであることであり、プロセスは、ＵＥに対するすでに確立した専用チャネルをＬＴＥネットワーク内で使用することができる。
【００７６】
ここでＬＴＥ＿Ａｃｔｉｖｅ状態が存在する第１の実施形態について、図１０を参照しながら述べよう。ＵＥがｅＮｏｄｅ  Ｂによって制御される１つのエリアから切り替わって、ＬＴＥにおいて別のｅＮｏｄｅ  Ｂによって制御されるエリアに進入する場合、第２のｅＮｏｄｅ  Ｂは、ステップ１６０でＬＡＩおよび定期的ＬＡ  Ｕｐｄａｔｅ  Ｔｉｍｅｒを送信することによって現行のＣＳ  ＣＮ情報を使ってＵＥをアップデート（更新）する。また、ＬＡＩ  ＣＳ  ＣＮ情報は、ブロードキャストに含まれており、従って、ブロードキャストチャネルから読み取られてもよい。プロセスの第１のステップであるステップ１６２において、ＵＥは、ＬＡ  Ｕｐｄａｔｅ要求を送信する。定期的ＬＡ  Ｕｐｄａｔｅタイマが、いつＵＥがＬＡ  ＵｐｄａｔｅメッセージＲｅｑｕｅｓｔメッセージを、ＬＴＥを介してＭＭＥに送信しなければならないかを示す。アクセスされたセルのＬＡＩは、結合ＴＡ／ＬＡ  Ｕｐｄａｔｅ  ＲｅｑｕｅｓｔメッセージまたはＬＡ  Ｕｐｄａｔｅ  ＲｅｑｕｅｓｔメッセージをＳＡＥの中のＭＭＥにトランスポートするのに用いられるメッセージの中で、ＬＴＥによってＳＡＥに提供される。
【００７７】
ＭＳＣ／ＶＬＲにおいてＵＥを適切に登録できるように、ＭＳＣ／ＶＬＲのための使用可能なフォーマットであるＣＳ位置情報フォーマットにＬＴＥ位置情報フォーマットを変換するために、変換ステップ１６３が必要である。変換ステップは、ｅＮｏｄｅ  ＢまたはＭＭＥノードで行われてもよい。マッピングの変換は、セルレベルで、すなわちＬＴＥセルからＬＡまで必要である。変換ステップ１４３は、ｅＮｏｄｅ  Ｂ（選択肢１）とＭＭＥ（選択肢２）のうちいずれか一方において行われてもよい。
【００７８】
変換手順が終了すると、ＣＳネットワークへの登録手順が開始される。Ｌｏｃａｔｉｏｎ  Ｕｐｄａｔｅ  Ｒｅｑｕｅｓｔがステップ１６４でＳＡＥの中のＭＭＥからＭＳＣ／ＶＬＲへ送信される。前記要求メッセージは、複数の情報パラメータ、例えば国際移動電話加入者ＩＤ  ＩＭＳＩ、ＬＡＩ、旧ＬＡＩ、「Ａｔｔａｃｈ  ｉｎｄ」等を含む。ＭＳＣ／ＶＬＲは、ＵＥを登録し、ステップ１６６で、Ｓｕｉｔａｂｌｅ  ＬＡ（適切な位置登録エリア）と呼ばれる少なくとも１つのパラメータを含むＬｏｃａｔｉｏｎ  Ｕｐｄａｔｅ  Ａｃｃｅｐｔメッセージを使ってＭＭＥに応答する。Ｓｕｉｔａｂｌｅ  ＬＡは、ＵＥが登録されているＭＳＣ／ＶＬＲによって制御されるＬＡのリストである。パラメータは、ＭＭＥの中に記憶され、登録手順は終了する。
【００７９】
次のステップ１６８において、ＭＭＥは、ＬＡ  Ｕｐｄａｔｅ  ＡｃｋメッセージをＵＥへ送信するように構成される。前記メッセージは少なくとも、ＵＥによって読み取られて記憶されることになるパラメータであるＳｕｉｔａｂｌｅ  ＬＡを含む。
【００８０】
信号フローチャートに示すように、その他の情報が任意でプロセスに含まれてもよい。例えば、ＴＭＳＩ  Ｒｅａｌｌｏｃａｔｉｏｎ  Ｃｏｍｐｌｅｔｅメッセージ（点線の矢印で示す）が、ステップ１７０でＵＥからＭＭＥへと、およびステップ１７２でＭＭＥからＭＳＣ／ＶＬＲへと送信されてもよい。
【００８１】
定期的ＬＡ  Ｕｐｄａｔｅは、登録と同じやり方で−定期的ＬＡ  Ｕｐｄａｔｅ  ＴｉｍｅｒがＣＳ  ＣＮ  Ｉｎｆｏによって提供される−行われることもできるし、ＭＭＥによって自律的にかまたは登録の一部として行われることもできる。
【００８２】
ここで移動性に起因する本発明の登録プロセスの別の実施形態について、図１１を参照しながら提示しよう。
【００８３】
ＵＥが１つの追跡エリアから別のＴＡに切り替わり、そしてＬＴＥの中のｅＮｏｄｅ  Ｂによって制御される前記「新規」ＴＡの中のエリアに進入する場合、ｅＮｏｄｅ  Ｂは、ステップ１６１でＰｏｓｉｔｉｏｎ  ＵｐｄａｔｅメッセージをＭＭＥへ送信する。「Ｐｏｓｉｔｉｏｎ  Ｕｐｄａｔｅ」を送信することは、暗示的か、すなわち移動性のコンテクストから理解されるのか、あるいは明示的か、すなわち位置変更に関する明示的な情報が含まれているのかを問わず、移動性処理に関連するメッセージの一部であってもよい。
【００８４】
ＭＭＥは、正しいＭＳＣ／ＶＬＲにおいて適切にＵＥを登録できるように、変換ステップであるステップ１６３を開始する。これは、前述したように、記憶されたマッピングテーブルをマッピングすることによって行われてもよい。
【００８５】
変換手順ステップが終了すると、ＣＳネットワークへの登録手順が開始される。Ｌｏｃａｔｉｏｎ  Ｕｐｄａｔｅ  Ｒｅｑｕｅｓｔがステップ１６４でＳＡＥの中のＭＭＥからＭＳＣ／ＶＬＲへ送信される。前記要求メッセージは、複数の情報パラメータ、例えば国際移動電話加入者ＩＤ  ＩＭＳＩ、ＬＡＩ、旧ＬＡＩ、「Ａｔｔａｃｈ  ｉｎｄ」等を含む。ＭＳＣ／ＶＬＲは、ＵＥを登録し、ステップ１６６で、Ｓｕｉｔａｂｌｅ  ＬＡ（適切な位置登録エリア）と呼ばれる少なくとも１つのパラメータを含むＬｏｃａｔｉｏｎ  Ｕｐｄａｔｅ  Ａｃｃｅｐｔメッセージを使ってＭＭＥに応答する。Ｓｕｉｔａｂｌｅ  ＬＡは、ＵＥが登録されているＭＳＣ／ＶＬＲによって制御されるＬＡのリストである。パラメータは、ＭＭＥの中に記憶され、登録手順は終了する。
【００８６】
「Ｓｕｉｔａｂｌｅ  ＬＡ」がＬｏｃａｔｉｏｎ  Ｕｐｄａｔｅ  Ｒｅｑｕｅｓｔ手順の間に提供された場合には、ＭＭＥは、ステップ１６８で、少なくともパラメータＳｕｉｔａｂｌｅ  ＬＡを含むメッセージＮｅｗ  ＬＡ  Ｉｎｆｏを送信するように構成される。
【００８７】
信号フローチャートに示すように、その他の情報が任意でプロセスに含まれてもよい。例えば、ＴＭＳＩ  Ｒｅａｌｌｏｃａｔｉｏｎ  Ｃｏｍｐｌｅｔｅメッセージ（点線の矢印で示す）が、ステップ１７０でＵＥからＭＭＥへと、およびステップ１７２でＭＭＥからＭＳＣ／ＶＬＲへと送信されてもよい。
【００８８】
ここで、ＬＴＥがＬＴＥ＿Ａｃｔｉｖｅ状態である場合の本発明の登録プロセスの別の実施形態について、図１２を参照しながら述べよう。図１２のプロセスは、図１１に述べた登録プロセスにおけるプロセスのステップに関して、部分的に同様である。前記共通の同様のステップについては、重ねて説明することはないであろう。従って、同様のステップおよびプロセスに関しては、図１１におけるプロセスの記述を参照する。
【００８９】
２つのプロセス間の相違点は、変換ステップが実行される場所である。第２の実施形態では、変換ステップ１６５はＭＳＣ／ＶＬＲで行われる。従って、Ｌｏｃａｔｉｏｎ  Ｕｐｄａｔｅ  Ｒｅｑｕｅｓｔメッセージは、位置／場所情報の変換ステップが実行される前に、必要な情報と共にＭＭＥからＭＳＣ／ＶＬＲへ送信される。
【００９０】
以下で、どのシステムノードがＬＡ  Ｕｐｄａｔｅプロセスに責任を持つように構成されるかによるＣＳサービスへの登録プロセスについて論じる。２つの選択肢は以下のようである。
【００９１】
選択肢１）ＭＭＥ−ＵＥの代わり、
選択肢２）ユーザ装置ＵＥ。
【００９２】
上記の選択肢はいずれも、ＵＥがＬＴＥセルの中に留まる一方でＣＳサービスのために接続するであろうということを意味する。
【００９３】
１）ＭＭＥがＬＡ  Ｕｐｄａｔｅに責任を持つ場合。
【００９４】
１．１  ＵＥが（ＭＳＣ／）ＶＬＲの中でＣＳのために登録される場合に実施形態を更新する。
【００９５】
１．１．ａ）  ＭＭＥが、ＴＡ  ＵｐｄａｔｅでＵＥを登録するように構成される。
【００９６】
１．１．ａ．ｉ）  正しいＭＭＥ、すなわちＵＥが登録されているエリアを制御するＭＭＥ、のページングを可能にするため、ＬＡおよび／またはＭＭＥのアドレスがＭＳＣ／ＶＬＲに記憶される。ＵＥ位置情報のＬＴＥフォーマットとＣＳフォーマット間のマッピングが、ＭＭＥで行われ、ＶＬＲに正しいＬＡがもたらされるであろう。マッピングの変換がＭＭＥによって（選択肢１）またはＭＳＣ／ＶＬＲによって（選択肢２）行われた場合、同じ結果が達成される。
【００９７】
１．１．ａ．ｉｉ）  ＬＡで発信される呼が前記ＬＡを制御するＭＳＣ／ＶＬＲによって受信されることを可能にするため、ＬＡ  ＩＤがＵＥの中に記憶される。記憶されたＬＡ  ＩＤをＵｐｄａｔｅするため、ＭＳＣ／ＶＬＲは、ＭＳＣ／ＶＬＲにおける登録への応答として、適切なＬＡまたはＬＡのセットを使って応答するように構成される。ＬＡのセットは、ＵＥが登録されているＬＡと、ＵＥが登録されているＭＳＣ／ＶＬＲによって制御されているＬＡのリストとで構成される。このＬＡまたはＬＡのセットは、ＵＥに提供される。ＬＡ（ＬＡのセット）は、呼を発信および／または着信させる際にアクセスするための適切なＧＳＭ／ＷＣＤＭＡセルを発見するのに用いることができる。プロセスの１つの代替案は、構成されたＭＭＥを使用して、登録に用いられたＬＡをＵＥに提供することである。
【００９８】
１．１．ｂ）  ＬＴＥ＿Ａｃｔｉｖｅ  Ｍｏｂｉｌｉｔｙ  Ｐｏｓｉｔｉｏｎの更新において、ＭＭＥが、ＵＥを登録するように構成される。
【００９９】
１．１．ｂ．ｉ）  正しいＭＭＥ、すなわちＵＥが登録されているエリアを制御するＭＭＥ、のページングを可能にするため、ＬＡおよび／またはＭＭＥのアドレスがＭＳＣ／ＶＬＲに記憶される。ＵＥ位置情報のＬＴＥフォーマットとＣＳフォーマット間のマッピングが、ＭＳＣ／ＶＬＲで行われ、ＶＬＲに正しいＬＡがもたらされるであろう。マッピングの変換がＭＳＣ／ＶＬＲによって行われた場合、同じ結果が達成される。
【０１００】
１．１．ｂ．ｉｉ）  ＬＡで発信される呼が前記ＬＡを制御するＭＳＣ／ＶＬＲによって受信されることを可能にするため、ＬＡ  ＩＤがＵＥの中に記憶される。記憶されたＬＡ  ＩＤをＵｐｄａｔｅするため、ＭＳＣ／ＶＬＲは、ＭＳＣ／ＶＬＲにおける登録への応答として、適切なＬＡまたはＬＡのセットを使って応答するように構成される。このＬＡまたはＬＡのセットは、ＵＥに提供される。ＬＡ  ＩＤまたはＬＡのセットは、呼を発信および／または着信させる際にアクセスするための適切なＧＳＭ／ＷＣＤＭＡセルを発見するのに用いることができる。ＬＡのセットは、ＵＥが登録されているＬＡと、ＵＥが登録されているＭＳＣ／ＶＬＲによって制御されているＬＡのリストとで構成される。プロセスの１つの代替案は、構成されたＭＭＥを使用して、登録に用いられたＬＡをＵＥに提供することである。
【０１０１】
１．２  定期的  ＬＡ  Ｕｐｄａｔｅの実施形態
１．２．ａ  ＭＭＥが、ＭＳＣ／ＶＬＲから受信したかまたはＭＭＥのメモリから読み取ったかまたは他の手段でＭＭＥに提供された、定期的ＬＡ  Ｕｐｄａｔｅについてのタイマに基づいて、ＵＥを登録するように構成される。
【０１０２】
１．２．ａ．ｉ  正しいＭＭＥ、すなわちＵＥが登録されているエリアを制御するＭＭＥ、のページングを可能にするため、ＬＡおよび／またはＭＭＥのアドレスがＭＳＣ／ＶＬＲに記憶される。ＵＥ位置情報のＬＴＥフォーマットとＣＳフォーマット間のマッピングが、ＭＭＥまたはＭＳＣ／ＶＬＲで行われ、マッピングの結果、ＶＬＲに正しいＬＡがもたらされるであろう。マッピングの変換がＭＭＥまたはＭＳＣ／ＶＬＲによって行われた場合、同じ結果が達成される。
【０１０３】
１．２．ａ．ｉｉ）  呼を「正しい」ＬＡの中で発信すること、すなわち「正しい」ＭＳＣ／ＶＬＲによって受信されることを可能にするため、ＬＡ  ＩＤがＵＥの中に記憶される。前記ＬＡを制御するＭＳＣ／ＶＬＲによって受信されることになる呼をＬＡの中で発信することを可能にするため、ＬＡ  ＩＤがＵＥの中に記憶される。記憶されたＬＡ  ＩＤをＵｐｄａｔｅするため、ＭＳＣ／ＶＬＲは、ＶＬＲにおける登録への応答として、適切なＬＡまたはＬＡのセットを使って応答するように構成される。このＬＡまたはＬＡのセットは、ＵＥに提供される。プロセスの１つの代替案は、構成されたＭＭＥを使用して、登録に用いられたＬＡをＵＥに提供することである。さらに、１つのプロセスは、ＭＭＥにおいてＵＥ位置情報をＬＴＥフォーマットとＣＳフォーマットの間でマッピングすることであり、このマッピングの結果、ＶＬＲにおける正しいＬＡがもたらされるであろう。マッピングの変換がＭＭＥまたはＭＳＣ／ＶＬＲによって行われた場合、同じ結果が達成される。ＬＡのセットは、ＵＥが登録されているＬＡと、ＵＥが登録されているＭＳＣ／ＶＬＲによって制御されているＬＡのリストとで構成される。ＬＡ（ＬＡのセット）は、呼を発信および／または着信させる際にアクセスするための適切なＧＳＭ／ＷＣＤＭＡセルを発見するのに用いることができる。
【０１０４】
ＵＥの中で知られているＬＴＥおよびＬＡにおいて、ノードであるＭＭＥ、ｅＮｏｄｅ  Ｂ、およびＵＥが、諸ノードが以下のステップを行うようなシステムの中で相互に通信するように構成される一方で、ＵＥがバーチャルなＬＡの中に登録される場合、
−ＬＴＥにおいて登録する場合、ＭＭＥは現行のＬＴＥセルおよび／またはＴＡをＬＡおよび適切なＭＳＣ／ＶＬＲへマッピングする。ＭＭＥは、ＵＥをＭＳＣ／ＶＬＲの中に登録する。ＭＳＣ／ＶＬＲにおける登録への応答として、ＭＭＥは、１つ以上のＬＡのセットを提供されるであろう。ＬＡのセットは、ＵＥが登録されているＬＡと、ＵＥが登録されているＭＳＣ／ＶＬＲによって制御されているＬＡのリストとで構成される。この１つ以上のＬＡのセットは、ＵＥに提供されるであろう。ＴＡ  Ｕｐｄａｔｅの結果として新たなＬＡまたは新たなＭＭＥがアクセスされるときにはいつでも、ＭＭＥはＭＳＣ／ＶＬＲの中にＵＥを再登録する。またＭＭＥは、ＶＬＲに対して定期的登録を行うであろう。定期的登録は、定期的ＴＡ更新タイマがＭＳＣ／ＶＬＲによって必要とされる定期的ＬＡ  Ｕｐｄａｔｅタイマと同期するならば、定期的ＴＡ  Ｕｐｄａｔｅによってトリガされてもよいし、あるいはＭＭＥ自身によってトリガされてもよい。後者は、ＴＡ  Ｕｐｄａｔｅが行われないＬＴＥ＿Ａｃｔｉｖｅ状態にも適しているし、（定期的ＴＡ  Ｕｐｄａｔｅタイマを定期的ＬＡ  Ｕｐｄａｔｅタイマから  切り離すための）ＬＴＥ＿Ｉｄｌｅ状態にも適している。ＭＭＥは、それがＵＥをその中に登録したＬＡかまたはＭＳＣ／ＶＬＲによって制御されるＬＡのリストが変更されるときにはいつでも、ＵＥに情報提供するであろう。
【０１０５】
ＬＴＥセルからのおよび／またはＴＡからＬＡへのマッピングによって、バーチャルなＬＡが作成される。
【０１０６】
２）ＵＥがＬＡ  Ｕｐｄａｔｅに責任を持つ場合。
２．１  ＵＥがＭＳＣ／ＶＬＲまたはＶＬＲにおいてＣＳについて登録される。
【０１０７】
ＵＥは、ＬＴＥ＿ＩｄｌｅでもＬＴＥ＿ＡｃｔｉｖｅでもどちらにおいてもＬＡ  Ｕｐｄａｔｅを生成して送信するように構成される。別の登録手順については以下に論じるので、セクション２．１．ａおよび２．１．ｂを参照されたい。
【０１０８】
２．１．ａ）  ＵＥが、ｅＮｏｄｅ  Ｂから受信したかまたはＬＴＥにおけるブロードキャストから読み取ったＬＡ情報に基づいて、ＬＴＥにおいてＬＡ  Ｕｐｄａｔｅを送信する。
【０１０９】
第１のステップでは、ＬＡ  Ｕｐｄａｔｅが、ＧＰＲＳにおけるＧｓインタフェースに関してＭＳＣ／ＶＬＲへルーティングされる。次のステップでは、ＭＳＣ／ＶＬＲが、ＭＳＣ／ＶＬＲでの登録に応じて、適切なＬＡまたはＬＡのセットを使って応答する。このＬＡまたはＬＡのセットは、ＵＥに提供される。
【０１１０】
２．１．ｂ）  ＵＥが、ＧＳＭまたはＷＣＤＭＡにおけるブロードキャストから読み取ったＬＡに基づいて、ＬＴＥにおいてＬＡ  Ｕｐｄａｔｅを送信する。
【０１１１】
第１のステップでは、ＬＡ  Ｕｐｄａｔｅが、ＧＰＲＳにおけるＧｓインタフェースに関してＭＳＣ／ＶＬＲへルーティングされる。次のステップでは、ＭＳＣ／ＶＬＲは、ＭＳＣ／ＶＬＲでの登録に応じて、適切なＬＡまたはＬＡのセットを使って応答する。このＬＡまたはＬＡのセットは、ＵＥに提供される。ＬＡまたはＬＡのセットは、呼を発信および／または着信させる際にアクセスするための適切なＧＳＭ／ＷＣＤＭＡセルを発見するのに用いることができる。
【０１１２】
２．２  定期的  ＬＡ  Ｕｐｄａｔｅ
別の登録手順について以下に論じるので、セクション２．２．ａおよび２．２．ｂを参照されたい。
【０１１３】
２．２．ａ）  ＵＥが、ｅＮｏｄｅ  Ｂから受信したか、ＬＡ  Ｕｐｄａｔｅ  Ｒｅｓｐｏｎｓｅの中で受信したか、またはＬＴＥにおけるブロードキャストから読み取った定期的ＬＡ  Ｕｐｄａｔｅのためのタイマに基づいて、ＬＴＥにおいてＬＡ  Ｕｐｄａｔｅを送信する。次のステップでは、ＬＡ  Ｕｐｄａｔｅが、ＧＰＲＳにおけるＧｓインタフェースに関してＭＳＣ／ＶＬＲへルーティングされるかまたは、
２．２．ｂ）  ＵＥが、ＧＳＭまたはＷＣＤＭＡにおけるブロードキャストから読み取った定期的ＬＡ  Ｕｐｄａｔｅのためのタイマに基づいて、ＬＴＥにおいてＬＡ  Ｕｐｄａｔｅを送信する。次のステップでは、ＬＡ  Ｕｐｄａｔｅは、ＧＰＲＳにおけるＧｓインタフェースに関してＭＳＣ／ＶＬＲへルーティングされる。
【０１１４】
ここで留意すべきだが、ＬＡ  Ｕｐｄａｔｅは、別個のシグナリングであってもよいし、ＴＡ  Ｕｐｄａｔｅと結合されて、すなわち結合ＬＡ／ＴＡ  Ｕｐｄａｔｅであってもよいだろう。
【０１１５】
ＵＥがＬＡの中に登録された場合、システム内のＵＥ、ＭＭＥ、ＭＳＣ／ＶＬＲおよびｅＮｏｄｅ  Ｂの各ノードは、相互に通信し合って、以下のステップを実行するように構成される。
【０１１６】
−ＬＴＥのカバー範囲へ進入する場合、ＵＥは常にＬＡ  Ｕｐｄａｔｅを行う。この動作は、ＭＭＥおよびＳＧＳＮが共通ノードとして実装される場合には、除外されてもよいだろう。
【０１１７】
−ＬＴＥにいる間、ＵＥは、ＬＴＥにおいてかまたはＧＳＭ／ＷＣＤＭＡにおいてブロードキャストチャネルからブロードキャスト情報、特にＬＡ  ＩＤをアイドル時間／ギャップの間に読み取る。
【０１１８】
−ＬＴＥ  Ａｃｔｉｖｅでは、ＵＥは、ＬＡ情報を、ブロードキャスト情報を読み取ることの一部としてかまたはその代わりとしてネットワークによって提供される専用情報として受信してもよい。
【０１１９】
−ＬＴＥにいる間、ＵＥは、定期的ＬＡ  Ｕｐｄａｔｅを行うだけでなく、ＵＥがその中に登録されているものとは異なるネットワークから、ＬＡが、例えばブロードキャスト情報または専用情報として受信される場合には、ＬＡ  Ｕｐｄａｔｅも行うであろう。
【０１２０】
ＬＴＥにおけるＬＡ  Ｕｐｄａｔｅは、ＵＥによって開始されるが、結果として、少なくともＵＥが新たなＭＭＥにアクセスする場合には、ＭＭＥがＵＥをＭＳＣ／ＶＬＲに登録することになるであろう。これによって、ＭＳＣ／ＶＬＲは、適切なＭＭＥからＵＥのページングを要求することができるようになるであろう。ＬＡ  Ｕｐｄａｔｅへの応答として、ＵＥは、１つ以上のＬＡのセットを与えられるであろう。ＬＡのセットは、ＵＥが登録されているＬＡと、ＵＥが登録されているＭＳＣ／ＶＬＲによって制御されているＬＡのリストとで構成される。
【０１２１】
ｅＮｏｄｅ  Ｂは、トリガ／トリガ信号を受信するように構成され、そして、前記トリガへの応答として、ＬＡ情報を個別のＵＥへ送信するように構成される。
【０１２２】
ＬＴＥ＿Ｉｄｌｅでは、ＴＡ  Ｕｐｄａｔｅを受信する場合、ｅＮｏｄｅ  Ｂは、関連するＬＡ情報、例えばＴＡ  Ｕｐｄａｔｅ応答の一部としてのＬＡ  ＩＤを送信するように構成される。あるいは、ｅＮｏｄｅ  Ｂは、関連するＬＡ情報を専用メッセージとして送信するように構成される。
【０１２３】
またＬＴＥ＿Ａｃｔｉｖｅでは、ｅＮｏｄｅ  Ｂは、トリガ／トリガ信号を受信するように構成され、そして、前記トリガへの応答として、ＬＡ情報を個別のＵＥへ送信するように構成される。
【０１２４】
１つのそのようなトリガは、Ｃｏｎｆｉｇｕｒａｔｉｏｎであり、すなわち、現行のセルのＬＡ情報がそれ以前にＵＥへ送信されたものと異なる場合にはすぐに、ＬＡ情報がＵＥへ送信される。ＬＡ情報がそれ以前にまったく送信されていない場合、ＵＥがＬＴＥ＿Ａｃｔｉｖｅ状態になるとすぐに、ＬＡ情報が送信される。
【０１２５】
もう１つのトリガは、ＵＥ測定レポートが受信されることである。さらに１つのトリガは、ｅＮｏｄｅ  Ｂの新たな測定結果が提供される場合である。
【０１２６】
ｅＮｏｄｅ  Ｂは、ＵＥへ送信される別のメッセージと結合されるかまたは専用のメッセージとして、関連するＬＡ情報を送信するように構成される。これ以降、呼が着信できるようにする方法と呼を発信できるようにする方法について、それぞれ述べよう。
呼を受信する方法、すなわち、呼を着信させる方法
図１３を参照しながら、ＬＴＥ＿Ｉｄｌｅ状態で呼を受信するための本発明のさまざまな実施形態について述べよう。
【０１２７】
ＭＳＣ／ＶＬＲが、前記ＭＳＣによって制御されるセルの中に留まっているＵＥに配信されることになる呼を受信すると、ＭＳＣは、ＵＥが登録されているＬＡをＶＬＲに尋ねる。ＵＥが、ＭＳＣ／ＶＬＲの中のＭＭＥによって制御されるように登録される場合、ＭＳＣ／ＶＬＲは、ページ要求メッセージを生成して、前記メッセージを指示されたＭＭＥへステップ１８０で送信する。Ｐａｇｅ  Ｒｅｑｕｅｓｔメッセージは、ＵＥ  ＩＤについての情報、例えば、ＩＭＳＩコード、そして、Ｓｕｉｔａｂｌｅ  ＬＡ（適切なＬＡ）についての情報、すなわちＵＥが呼び出し要求に応答して送信すべきＬＡおよび／またはＬＡのセットを含む。ＬＡのセットは、ＵＥが登録されているＬＡと、ＵＥが登録されているＭＳＣ／ＶＬＲによって制御されているＬＡのリストとで構成される。
【０１２８】
ＭＭＥは、ページングを受信し、そして、ＬＴＥ＿Ｉｄｌｅにおいて、ＵＥが登録されているＴＡ（Ｔｒａｃｋｉｎｇ  Ａｒｅａ）についての情報を備え、かつ、Ｓｕｉｔａｂｌｅ  ＬＡ情報を提供する、Ｐａｇｉｎｇ  Ｒｅｑｕｅｓｔメッセージを生成する。ステップ１８２では、前記Ｐａｇｉｎｇ  Ｒｅｑｕｅｓｔが、指示されたＴＡのすべてのｅＮｏｄｅ  Ｂに対するＰａｇｉｎｇ  Ｒｅｑｕｅｓｔとして、ＭＭＥによって送信される。また前記Ｐａｇｉｎｇ  Ｒｅｑｕｅｓｔは、Ｓ−ＴＭＳＩコードを含んでもよい。
【０１２９】
ステップ１８４で、Ｐａｇｅ  Ｐａｇｉｎｇ  Ｒｅｑｕｅｓｔメッセージが、ＴＡに属するすべてのｅＮｏｄｅ  Ｂセルの中のｅＮｏｄｅ  Ｂによって送信される。Ｐａｇｉｎｇ  Ｒｅｑｕｅｓｔは、ＣＳ呼のためのページかまたはＵＥがＬＴＥ＿Ａｃｔｉｖｅに変わることができるようにするページかいずれか一方を含んでもよい。後者の場合、ＵＥがＬＴＥ＿Ａｃｔｉｖｅに変わった場合にＣＳ呼のためのＰａｇｉｎｇ  Ｒｅｑｕｅｓｔメッセージを専用メッセージとして送信することによって、ｅＮｏｄｅ  Ｂは続ける。また呼び出し要求（ＣＳ呼のためにＵＥをページングする）は、ＵＥが適切なＧＳＭ／ＷＣＤＭＡセルをより速く選択するのに役立つ追加情報を含んでもよい。情報は、ＭＭＥへ送信されるページ要求の中でＭＳＣ／ＶＬＲによってかまたは、ｅＮｏｄｅ  Ｂに対するページ呼び出し要求の中でＭＭＥによってかまたは、ＵＥに対する「Ｐａｇｅ  Ｐａｇｉｎｇ  Ｒｅｑｕｅｓｔ」の中でｅＮｏｄｅ  Ｂによって提供されてもよい。アクセスをスピードアップすることができる情報の例としては、
ＧＳＭでは、周波数、ＢＳＩＣ、および制御チャネル合成、
ＷＣＤＭＡでは、周波数、一次スクランブルコード、ＰＲＡＣＨ情報、物理ＲＡＣＨ（Ｒａｎｄｏｍ  Ａｃｃｅｓｓ  Ｃｈａｎｎｅｌ）の構成、およびアクセス制限である。ＰＲＡＣＨは、Ｐｈｙｓｉｃａｌ  ＲＡＣＨ（Ｒａｎｄｏｍ  Ａｃｃｅｓｓ  Ｃｈａｎｎｅｌ）の構成である。
【０１３０】
ＵＥがＣＳ呼についてのＰａｇｉｎｇ  Ｒｅｑｕｅｓｔを認識した場合、ＵＥは、アクセスすべき適切なセルをステップ１８６で判定する。
【０１３１】
ステップ１８６では、ＵＥは、受信したＳｕｉｔａｂｌｅ  ＬＡ情報（ＬＡ）を用いて、適切なＧＳＭ／ＷＣＤＭＡセルの部分セットを導出する。ＬＴＥ＿Ｉｄｌｅ状態では、前記セルの部分セットを生成する方法の複数の選択肢が利用できる。
【０１３２】
ＧＳＭ／ＷＣＤＭＡセルの部分セットを導出する方法の第１の実施形態は、ＵＥが、適切なＧＳＭまたはＷＣＤＭＡセルを見つけるためにＬＴＥにおけるブロードキャストチャネルから読み取られた隣接ＧＳＭ／ＷＣＤＭＡセルのリストを読み取って使用するように構成されることである。例えばＬＡ  Ｕｐｄａｔｅの登録時に受信されたかまたはｅＮｏｄｅ  Ｂを介してＭＭＥからのページングの中に示されたＬＡおよび／またはＬＡのセットに属する前記ＧＳＭ／ＷＣＤＭＡセルは、適切なＧＳＭ／ＷＣＤＭＡセルのセットの中に含まれる。ＵＥは、前記適切なＧＳＭ／ＷＣＤＭＡセルのセットを用いて、自分がアクセスできるＧＳＭセルまたはＷＣＤＭＡセルを見つける。
【０１３３】
適切なＧＳＭ／ＷＣＤＭＡセルの部分セットを導出する第２の方法は、ｅＮｏｄｅ  Ｂが関連の隣接ＧＳＭ／ＷＣＤＭＡセルのリストを専用シグナリングによって提供する場合に可能である。例えばＬＡ  Ｕｐｄａｔｅの登録時に受信されたかまたはｅＮｏｄｅ  Ｂを介してＭＭＥからのページングの中に示されたＬＡおよび／またはＬＡのセットに属する前記ＧＳＭ／ＷＣＤＭＡセルは、適切なＧＳＭ／ＷＣＤＭＡセルのセットの中に含まれる。ＵＥは、前記適切なＧＳＭ／ＷＣＤＭＡセルのセットを用いて、自分がアクセスできるＧＳＭセルまたはＷＣＤＭＡセルを見つける。典型的にはｅＮｏｄｅ  Ｂからの専用シグナリングはＬＴＥ＿Ａｃｔｉｖｅ状態で用いられるであろうが、ＬＴＥ＿Ｉｄｌｅ状態で適用されてもよいだろう。
【０１３４】
さらに、ＧＳＭ／ＷＣＤＭＡセルの部分セットを導出する第３の方法は、ＵＥがアイドル時間を使用するように、構成されることであり、そのアイドル時間は、特定のＧＳＭ／ＷＣＤＭＡセルがどのＬＡに属しているかに関する情報を得るためにＧＳＭおよび／またはＷＣＤＭＡネットワークからのシステム情報を読み取るためＬＴＥ＿Ｉｄｌｅ状態のＤＲＸ機能によって作成される。この情報は、関連の隣接ＧＳＭおよび／またはＷＣＤＭＡセルのリストを作成するのに用いられ、このリストは、ＵＥがページングに応答することが可能な場所を示す。例えばＬＡ  Ｕｐｄａｔｅの登録時に受信されたかまたはｅＮｏｄｅ  Ｂを介してＭＭＥからのページングの中に示されたＬＡおよび／またはＬＡのセットに属する前記ＧＳＭ／ＷＣＤＭＡセルは、適切なＧＳＭ／ＷＣＤＭＡセルのセットの中に含まれる。ＵＥは、前記適切なＧＳＭ／ＷＣＤＭＡセルのセットを用いて、自分がアクセスできる適切なＧＳＭセルまたはＷＣＤＭＡセルを見つける。
【０１３５】
ＵＥは、ＬＴＥシステムから受信した隣接セル情報を使って、どのセルからシステム情報を読み取るべきかを決定するように構成される。
【０１３６】
ここで、ＬＴＥ＿Ｉｄｌｅ状態において呼を受信する方法の別の実施形態について述べよう。ＭＳＣ／ＶＬＲは、ＵＥがそこからページ要求に応答しなければならない場所を示すＬＡまたはＬＡのセットをまったく提供しない。図１３のステップ１８０でＭＳＣ／ＶＬＲから送信される呼び出し要求は、従って、前記ＬＡ情報を含まないであろう。
【０１３７】
この場合、ステップ１８６でＵＥは、アクセスすべきＧＳＭ／ＷＣＤＭＡセルの部分セットを導出するため、それが登録されたＬＡ、および／または、例えばＬＡ  Ｕｐｄａｔｅの登録時に受信されたＭＳＣ／ＶＬＲによって制御されるＬＡのリストを使用するように構成される。
【０１３８】
ＧＳＭ／ＷＣＤＭＡセルの部分セットを導出するための前記の方法の第１の選択肢は、適用可能である。ＵＥは、ＬＴＥの中のブロードキャストチャネルから読み取った隣接ＧＳＭ／ＷＣＤＭＡセルのリストを使って適切なＧＳＭセルまたはＷＣＤＭＡセルを発見する。ｅＮｏｄｅ  Ｂを経由したＭＭＥからのページングの中に示されたかまたは、登録の際に受信したＬＡおよび／またはＬＡのセットに属する前記ＧＳＭ／ＷＣＤＭＡセルは、適切なＧＳＭ／ＷＣＤＭＡセルのセットに含まれる。ＵＥは、前記適切なＧＳＭ／ＷＣＤＭＡセルのセットを用いて、自分がアクセスできるＧＳＭセルまたはＷＣＤＭＡセルを見つける。
【０１３９】
さらに、ＧＳＭ／ＷＣＤＭＡセルの部分セットを導出する上記の方法は、ＵＥがアイドル時間を用いるということであり、アイドル時間は、そのアイドル時間は、特定のＧＳＭ／ＷＣＤＭＡセルがどのＬＡに属しているかに関する情報を得るためにＧＳＭおよび／またはＷＣＤＭＡネットワークからのシステム情報を読み取るためＬＴＥ＿Ｉｄｌｅ状態のＤＲＸ機能によって作成される。ＤＲＸとは、「Ｄｉｓｃｏｎｔｉｎｕｏｕｓ  Ｒｅｃｅｐｔｉｏｎ(不連続受信）」を意味し、そしてＵＥは、それが留まっているセルの中でページングについてリッスンするであろう。ＬＴＥ＿Ｉｄｌｅ状態では、ＤＲＸ周期は事前に設定される。この情報を用いて、ＵＥがそこからページングに応答すべき関連の隣接するＧＳＭ／ＷＣＤＭＡセルのリストが作成される。ｅＮｏｄｅ  Ｂを経由したＭＭＥからのページングの中に示されたかまたは、登録の際に受信したＬＡおよび／またはＬＡのセットに属する前記ＧＳＭ／ＷＣＤＭＡセルは、適切なＧＳＭ／ＷＣＤＭＡセルのセットに含まれる。ＵＥは、前記適切なＧＳＭ／ＷＣＤＭＡセルのセットを用いて、自分がアクセスできるＧＳＭセルまたはＷＣＤＭＡセルを見つける。
【０１４０】
さらに、ＧＳＭ／ＷＣＤＭＡセルを導出する１つの方法は、ＬＡ  Ｕｐｄａｔｅプロセスの一部として配信された適切なＧＳＭセルまたはＷＣＤＭＡセルのリストを用いることである。ＵＥは、前記リストをそのメモリの１つの中に受信して記憶するように構成される。
【０１４１】
前記情報は、ページ要求への応答を送信する目的で適切なＧＳＭ／ＷＣＤＭＡセルにアクセスするのに用いられる。
【０１４２】
上記によって導出されたいずれの隣接セルにもＵＥが到達できない場合、ＵＥは、ページ要求をＵＥが受信したならば、ＵＥがそのようなページ要求を受信したのと同じＬＡまたはＬＡのセットの中でいずれかのＧＳＭ／ＷＣＤＭＡセルへのアクセスを試行するように構成される。あるいは、ＵＥは、ＵＥが登録されているＬＡまたはＬＡのセットの中の、あるいは、ＭＳＣ／ＶＬＲによって制御されるＬＡのリストの中にリストされたＬＡの中の、いずれかのＧＳＭ／ＷＣＤＭＡセルへのアクセスを試行するように構成される。
【０１４３】
上記によって導出されたいずれのセルにもＵＥが到達できない場合、ＵＥは、ページ要求に応答するためにステップ１８８で、いずれかのＧＳＭ／ＷＣＤＭＡセルへのアクセスを試行するように構成される。
【０１４４】
上記の複数のパラグラフにおいて、アクセスすべき適切なＧＳＭ／ＷＣＤＭＡセルを判定するために述べた方法は、ＵＥがアクセスを試行するであろうセルのリストを作成するのにも一緒に用いることができる。そのように上記で述べたとはいえ、ＵＥは、上記の動作を連続して行う必要はない。また、並列処理をさらに適用することもできる。
【０１４５】
ステップ１８８では、ステップ１８６からの適切なセルについて導出された情報が、ページ要求への応答を送信するためＧＳＭ／ＷＣＤＭＡセルにアクセスするのに用いられる。
【０１４６】
ＵＥは、ステップ１９０でＰａｇｅ  Ｒｅｓｐｏｎｓｅメッセージを２Ｇ／３Ｇ  ＲＡＮを介してＭＳＣ／ＶＬＲへ送信するように構成される。着呼を接続するための標準の手順２００がステップ２００で続くが、前記手順は、当業者には既知であると考えられるので、従ってこの手順については述べないことにしよう。
【０１４７】
ページ要求に応答するためＧＳＭ／ＷＣＤＭＡにアクセスする場合、ＵＥは、以下のａ）乃至ｄ）のいずれかの方法でそれを行うことができる。
【０１４８】
ａ）パケット交換型（ＰＳ）接続をＰＳ領域と確立して、いずれかのアクティブなＰＳ接続を保存し、次いで回線交換型（ＣＳ）領域へ向かってページ要求に応答して、領域セルの再選択を行うことによって、または、
ｂ）（ＣＳ領域へ向かって）ページ要求に応答し、次いで、ＰＳ接続をＰＳ領域と確立して、いずれかのアクティブなＰＳ接続を保存することによって、または、
ｃ）ＣＳ領域へ向かってページ要求に応答し、そして、ＰＳ接続をＰＳ領域と確立して、いずれかのアクティブなＰＳ接続を並行して保存することによって、または、
ｄ）（ＣＳ領域へ向かって）ページ要求に応答することによって。
【０１４９】
図１４を参照しながら、ＬＴＥ＿Ａｃｔｉｖｅ状態で呼を受信する方法のさまざまな実施形態について述べよう。ＬＴＥ＿Ａｃｔｉｖｅ状態では、ＬＴＥネットワーク内でのＵＥとの接続はすでに確立されている。ＬＴＥ＿Ｉｄｌｅ状態では、そのような接続は確立されていない。
【０１５０】
進行中のＰＳセッションは、ＲＡ  ＵｐｄａｔｅとＧＳＭ／ＷＣＤＭＡにおけるＳｅｒｖｉｃｅ  Ｒｅｑｕｅｓｔを、以下のいずれかのタイミングで行うことによって維持されてもよい。
【０１５１】
ａ）Ｐａｇｅ  Ｒｅｓｐｏｎｓｅを送信する前に、
ｂ）呼の確立と同時に、
ｃ）呼の確立の後で。
【０１５２】
例えば呼の確立の前か、同時か、後で、移動性管理の理由で、ＲＡ  Ｕｐｄａｔｅが行われる必要がある。
【０１５３】
ＭＳＣ／ＶＬＲが、前記ＭＳＣによって制御されるセルの中に留まっているＵＥに配信されることになる呼を受信すると、ＭＳＣは、ＵＥが登録されているＬＡをＶＬＲに尋ねる。ＵＥが、ＶＬＲの中のあるＭＭＥによって制御されるとして登録される場合、ＭＳＣは、ページ要求メッセージを生成して、そのように示されたＭＭＥへ前記メッセージをステップ１８０で送信する。Ｐａｇｅ  Ｒｅｑｕｅｓｔメッセージは、ＵＥ  ＩＤ、例えば、ＩＭＳＩコード、そして、Ｓｕｉｔａｂｌｅ  ＬＡ（適切なＬＡ）についての情報、すなわちＵＥが呼び出し要求に応答して送信すべきＬＡおよび／またはＬＡのセットを含む。ＬＡのセットは、ＵＥが登録されているＬＡと、および／または、ＵＥが登録されているＭＳＣ／ＶＬＲによって制御されているＬＡのリストとで構成される。
【０１５４】
ＭＭＥは、ページ要求を受信し、そして、ＬＴＥ＿Ａｃｔｉｖｅにおいて、Ｓｕｉｔａｂｌｅ  ＬＡ（Ｌｏｃａｔｉｏｎ  Ａｒｅａ）についての情報を含むＣｉｒｃｕｉｔ  Ｓｗｉｔｃｈｅｄ（ＣＳ）Ｐａｇｉｎｇ  Ｒｅｑｕｅｓｔメッセージを生成する。ステップ１８２では、前記ＣＳ  Ｐａｇｉｎｇ  Ｒｅｑｕｅｓｔが、ＭＭＥによって、専用メッセージとして、ＵＥが接続しているｅＮｏｄｅ  Ｂへ送信される。ＣＳ  Ｐａｇｉｎｇ  Ｒｅｑｕｅｓｔが、Ｓ１接続を用いてｅＮｏｄｅ  Ｂへ送信される。ｅＮｏｄｅ  Ｂは、ＣＳ  Ｐａｇｉｎｇ  Ｒｅｑｕｅｓｔを受信し、Ｓｕｉｔａｂｌｅ  ＬＡ（Ｌｏｃａｔｉｏｎ  Ａｒｅａ）についての情報を含み、かつ、ＵＥへ送信されることになる、ＣＳ  Ｐａｇｉｎｇ  Ｒｅｑｕｅｓｔメッセージを生成する。前記ＣＳ  Ｐａｇｉｎｇ  Ｒｅｑｕｅｓｔは、ＵＥへ送信される専用ページングメッセージ、すなわち、ＵＥとの接続を用いて送信されるメッセージである。
【０１５５】
一実施形態では、送信されるページングメッセージは、ページ応答が正しいＭＳＣ／ＶＬＲへルーティングされるにはどのＬＡまたはＬＡのセットの中でＵＥがページ要求に応答しなければならないかを示す。別の実施形態では、送信されるページングメッセージは、どのＬＡまたはＬＡのセットの中でＵＥがページングに応答しなければならないかを示さない。この実施形態では、代わりにＵＥは、例えばＬＡ  Ｕｐｄａｔｅのような登録の間にＵＥが受信したＬＡまたはＬＡのセットを用いる。ＬＡのセットは、ＵＥが登録されているＬＡと、ＵＥが登録されているＭＳＣ／ＶＬＲによって制御されるＬＡのリストとで構成される。
【０１５６】
また呼び出し要求は、ＵＥが適切なＧＳＭ／ＷＣＤＭＡセルをより速く選択するのに役立つ追加情報を含んでもよい。情報は、ＭＭＥへ送信されるページ要求の中でＭＳＣ／ＶＬＲによってかまたは、ｅＮｏｄｅ  Ｂに対するページ要求の中でＭＭＥによってかまたは、ＵＥに対する「Ｐａｇｅ  Ｒｅｑｕｅｓｔ」の中でｅＮｏｄｅ  Ｂによって提供されてもよい。アクセスをスピードアップする可能性がある情報の例としては、
ＧＳＭでは、周波数、ＢＳＩＣ、および制御チャネル合成、
ＷＣＤＭＡでは、周波数、一次スクランブルコード、ＰＲＡＣＨ情報、物理ＲＡＣＨ（Ｒａｎｄｏｍ  Ａｃｃｅｓｓ  Ｃｈａｎｎｅｌ）の構成、およびアクセス制限である。ＰＲＡＣＨは、Ｐｈｙｓｉｃａｌ  ＲＡＣＨ（Ｒａｎｄｏｍ  Ａｃｃｅｓｓ  Ｃｈａｎｎｅｌ）の構成である。
【０１５７】
ステップ１８４では、ＣＳ  Ｐａｇｅ  Ｒｅｑｕｅｓｔメッセージが、ＵＥのｅＮｏｄｅ  Ｂによって送信される。メッセージはＲＲＣ（Ｒａｄｉｏ  Ｒｅｓｏｕｒｃｅ  Ｃｏｎｔｒｏｌ）接続を用いて送信される。
【０１５８】
ＵＥがＰａｇｉｎｇ  Ｒｅｑｕｅｓｔを受信した場合、ＵＥは、アクセスすべき適切なセルをステップ１８６で判定する。
【０１５９】
ステップ１８６では、ＵＥは、受信したＬＡ情報（ＬＡ）を用いて、適切なＧＳＭ／ＷＣＤＭＡセルの部分セットを導出する。ＬＴＥ＿Ｉｄｌｅ状態では、前記セルの部分セットを生成する方法の複数の選択肢が利用でき、それらについてこれから述べよう。
【０１６０】
ＬＴＥ＿Ａｃｔｉｖｅ状態でＧＳＭ／ＷＣＤＭＡセルの部分セットを導出する第１の方法は、ｅＮｏｄｅ  Ｂが関連の隣接ＧＳＭおよび／またはＷＣＤＭＡセルのリストを提供する場合に可能である。例えばＬＡ  Ｕｐｄａｔｅの登録時に受信されたかまたはｅＮｏｄｅ  Ｂを介してＭＭＥからのページングの中に示されたＬＡおよび／またはＬＡのセットに属する前記隣接ＧＳＭ／ＷＣＤＭＡセルは、適切なＧＳＭ／ＷＣＤＭＡセルのセットの中に含まれる。ＵＥは、前記適切なＧＳＭ／ＷＣＤＭＡセルのセットを用いて、自分がアクセスできるＧＳＭセルまたはＷＣＤＭＡセルを見つける。
【０１６１】
ＧＳＭ／ＷＣＤＭＡセルの部分セットを導出する第２の方法は、ｅＮｏｄｅ  Ｂが関連の隣接ＧＳＭおよび／またはＷＣＤＭＡセルのリストをブロードキャストチャネルの中で提供する場合に可能である。例えばＬＡ  Ｕｐｄａｔｅの登録時に受信されたかまたはｅＮｏｄｅ  Ｂを介してＭＭＥからのページングの中に示されたＬＡおよび／またはＬＡのセットに属する前記隣接ＧＳＭ／ＷＣＤＭＡセルは、適切なＧＳＭ／ＷＣＤＭＡセルのセットの中に含まれる。ＵＥは、前記適切なＧＳＭ／ＷＣＤＭＡセルのセットを用いて、自分がアクセスできるＧＳＭセルまたはＷＣＤＭＡセルを見つける。
【０１６２】
さらに、ＧＳＭ／ＷＣＤＭＡセルの部分セットを導出する第３の方法は、ＵＥがスケジュール化されたタイムギャップを使用するように構成されることであり、そのタイムギャップは、特定のＧＳＭ／ＷＣＤＭＡセルがどのＬＡに属しているかに関する情報を得るためにＧＳＭおよび／またはＷＣＤＭＡネットワークからのシステム情報を読み取るためｅＮｏｄｅ  Ｂによって作成される。また、この情報は、ＲＲＣ（Ｒａｄｉｏ  Ｒｅｓｏｕｒｃｅ  Ｃｏｎｔｒｏｌ）測定手順の一部として受信される隣接セル情報から入手することも可能である。この情報は、ＵＥがそこからページングに応答しなければならない、関連の隣接ＧＳＭおよび／またはＷＣＤＭＡセルのリストを作成するのに用いられる。例えばＬＡ  Ｕｐｄａｔｅの登録時に受信されたかまたはｅＮｏｄｅ  Ｂを介してＭＭＥからのページングの中に示されたＬＡおよび／またはＬＡのセットに属する隣接ＧＳＭ／ＷＣＤＭＡセルは、適切なＧＳＭ／ＷＣＤＭＡセルのセットの中に含まれる。ＵＥは、前記適切なＧＳＭ／ＷＣＤＭＡセルのセットを用いて、自分がアクセスできるＧＳＭセルまたはＷＣＤＭＡセルを見つける。
【０１６３】
上記によって導出されたいずれの隣接セルにもＵＥが到達できない場合、ＵＥは、ページ要求をＵＥが受信したならば、ＵＥがそのようなページ要求を受信したのと同じＬＡまたはＬＡのセットの中でいずれかのＧＳＭ／ＷＣＤＭＡセルへのアクセスを試行するように構成される。あるいは、ＵＥは、ＵＥが登録されているＬＡまたはＬＡのセットの中の、あるいは、ＭＳＣ／ＶＬＲによって制御されるＬＡのリストの中にリストされたＬＡの中の、いずれかのＧＳＭ／ＷＣＤＭＡセルへのアクセスを試行するように構成される。
【０１６４】
上記によって導出されたいずれのセルにもＵＥが到達できない場合、ＵＥは、ページ要求に応答するためにステップ１８８で、いずれかのＧＳＭ／ＷＣＤＭＡセルへのアクセスを試行するように構成される。
【０１６５】
上記の複数のパラグラフにおいて、アクセスすべき適切なＧＳＭ／ＷＣＤＭＡセルを判定するために述べた方法は、ＵＥがアクセスを試行するであろうセルのリストを作成するのにも一緒に用いることができる。そのように上記で述べたとはいえ、ＵＥは、上記の動作を連続して行う必要はない。また、並列処理をさらに適用することもできる。
【０１６６】
ステップ１８８では、ステップ１８６からの適切なセルについて導出された情報が、ページ要求への応答を送信するためＧＳＭ／ＷＣＤＭＡセルにアクセスするのに用いられる。
【０１６７】
ＵＥは、ステップ１９０でＰａｇｅ  Ｒｅｓｐｏｎｓｅメッセージを２Ｇ／３Ｇ  ＲＡＮを介してＭＳＣ／ＶＬＲへ送信するように構成される。着呼を接続するための標準の手順２００がステップ２００で続くが、前記手順は、本発明の対象ではない。
【０１６８】
ページ要求に応答するためＧＳＭ／ＷＣＤＭＡにアクセスする場合、ＵＥは、以下のａ）、ｂ）、ｃ）、ｄ）のいずれかの方法でそれを行うことができる。
【０１６９】
ａ）パケット交換型（ＰＳ）接続をＰＳ領域と確立して、いずれかのアクティブなＰＳ接続を保存し、次いでＣＳ領域へ向かってページ要求に応答して、セルの再選択を行うことによって、または、
ｂ）（ＣＳ領域へ向かって）ページ要求に応答し、次いで、ＰＳ接続をＰＳ領域と確立して、いずれかのアクティブなＰＳ接続を保存することによって、または、
ｃ）（ＣＳ領域へ向かって）ページ要求に応答し、そして、ＰＳ接続をＰＳ領域と確立して、いずれかのアクティブなＰＳ接続を並行して保存することによって、または、
ｄ）ＣＳ領域へ向かってページ要求に応答することによって。
【０１７０】
呼を発信する方法
ここで図１５を参照しながら、呼を開始することに関する本発明の実施形態について述べよう。前記実施形態は、呼を開始する場合にＣＳ領域に登録することを対象とする。状態は、ＬＴＥ＿ＡｃｔｉｖｅでもＬＴＥ＿Ｉｄｌｅでもどちらでもよい。
【０１７１】
ユーザが呼を開始する時、ＵＥは、ＣＳ領域に接続していない間に、ステップ１９２で適切なセルを判定するように構成される。この目的で、ＵＥは、どのＧＳＭ／ＣＤＭＡセルにアクセスするかに関する情報を受信する必要がある。ＧＳＭ／ＣＤＭＡネットワークの中でアクセスすべき適切なセルを判定する手順の代替的実施形態を、本発明によって提供する。
【０１７２】
前記方法の第１の実施形態では、ＵＥは、ＬＡアップデート（ＬＡ更新）の一部として受信したＳｕｉｔａｂｌｅ  ＬＡを読み取るように構成される。Ｓｕｉｔａｂｌｅ  ＬＡに含まれるＬＡに属するＧＳＭ／ＷＣＤＭＡセルは、適切なＧＳＭ／ＷＣＤＭＡセルのセットに含まれる。ＵＥは、前記適切なＧＳＭ／ＷＣＤＭＡセルのセットを用いて、自分がアクセスできるＧＳＭセルまたはＷＣＤＭＡセルを見つける。
【０１７３】
前記方法の第２の実施形態では、ＵＥは、セルを制御するネットワークから提供されたブロードキャストチャネルによって提供されたか、または、ネットワークから専用シグナリングとして提供された、隣接ＧＳＭ／ＷＣＤＭＡセルのリストを読み取って使用するように構成される。ＵＥが登録されているＬＡに属するブロードキャストチャネルの中に、および／またはＭＳＣ／ＶＬＲによって制御されるＬＡのリストの中にリストされる前記ＧＳＭ／ＷＣＤＭＡセルは、適切なＧＳＭ／ＷＣＤＭＡセルのセットの中に含まれる。ＵＥは、前記適切なＧＳＭ／ＷＣＤＭＡセルのセットを用いて、自分がアクセスできるＧＳＭセルまたはＷＣＤＭＡセルを見つける。
【０１７４】
さらに、適切なＧＳＭ／ＷＣＤＭＡセルの部分セットを導出する第３の方法は、ＵＥがスケジュール化されたタイムギャップを使用するように構成されることであり、そのタイムギャップは、特定のＧＳＭ／ＷＣＤＭＡセルがどのＬＡに属しているかに関する情報を得るためにＧＳＭおよび／またはＷＣＤＭＡネットワークからのシステム情報を読み取るためｅＮｏｄｅ  Ｂによって作成される。また、この情報は、ＲＲＣ（Ｒａｄｉｏ  Ｒｅｓｏｕｒｃｅ  Ｃｏｎｔｒｏｌ）測定手順の一部として受信される隣接セル情報から入手することも可能である。この情報は、ＵＥがそこからページングに応答しなければならない、関連の隣接ＧＳＭおよび／またはＷＣＤＭＡセルのリストを作成するのに用いられる。例えばＬＡ  Ｕｐｄａｔｅの登録時に受信されたかまたはｅＮｏｄｅ  Ｂを介してＭＭＥからのページングの中に示されたＬＡおよび／またはＬＡのセットに属する前記ＧＳＭ／ＷＣＤＭＡセルは、適切なＧＳＭ／ＷＣＤＭＡセルのセットの中に含まれる。ＵＥは、前記適切なＧＳＭ／ＷＣＤＭＡセルのセットを用いて、自分がアクセスできるＧＳＭセルまたはＷＣＤＭＡセルを見つける。
【０１７５】
呼を発信する際、ＵＥは、ＬＴＥの中のブロードキャストにおいて受信されたかまたは、ｅＮｏｄｅ  Ｂからの専用シグナリングによってかまたは、アイドルタイム／ギャップの間にＧＳＭおよび／またはＷＣＤＭＡからのシステム情報を読み取ることによって作成されたＵＥが受信できるセルのリストから、隣接セルからＧＳＭ／ＷＣＤＭＡセルの部分セットを導出するため、ＵＥが登録されているＬＡ、または複数のＬＡが許可されているならば複数のＬＡと、ＭＳＣ／ＶＬＲによって制御されるＬＡのリストとを用いるであろう。この情報は、呼を開始するための適切なＧＳＭ／ＷＣＤＭＡセルにアクセスするのに用いられる。専用シグナリングは、典型的には、ＬＴＥ＿Ａｃｔｉｖｅ状態で用いられるであろうが、ＬＴＥ＿Ｉｄｌｅ状態に適用することもできるだろう。
【０１７６】
あるいは、上記によって導出されたいずれの隣接セルにもＵＥが到達できない場合、ＵＥは、それが登録されているＬＡまたは複数のＬＡが許可されているのであれば複数のＬＡの中で、かつ、呼を開始するためのＭＳＣ／ＶＬＲオーダによって制御されるＬＡのリストの中で、いずれかのＧＳＭ／ＷＣＤＭＡセルへのアクセスを試行するであろう。
【０１７７】
ＵＥは、ＵＥがその中で登録されているＬＡの中で、そして、ＭＳＣ／ＶＬＲによって制御されるＬＡのリストの中で、いずれかのＧＳＭセルまたはＷＣＤＭＡセルを選択するように構成される。
【０１７８】
最後に、上記のどれひとつとして成功しない場合には、ＵＥは、呼を開始するために、いずれかのＧＳＭ／ＷＣＤＭＡセルへのアクセスを試行するであろう。
【０１７９】
呼を開始するためＧＳＭ／ＷＣＤＭＡセルにアクセスする場合、ＵＥは、以下のａ）、ｂ）、ｃ）、ｄ）のいずれかのやり方でそれを行うことができる。
【０１８０】
ａ）ＰＳ接続をＰＳ領域と確立して、いずれかのアクティブなＰＳ接続を保存し、次いでＣＳ領域へ向かって呼を開始して、セルの再選択を行うことによって、または、
ｂ）ＣＳ領域へ向かって呼を開始し、次いで、ＰＳ接続をＰＳ領域と確立して、いずれかのアクティブなＰＳ接続を保存することによって、または、
ｃ）ＣＳ領域へ向かって呼を開始し、そして、ＰＳ接続をＰＳ領域と確立して、いずれかのアクティブなＰＳ接続を並行して保存することによって、または、
ｄ）ＵＥがアクセスを試行するであろうセルのリストを作成するため一緒に用いられる。
【０１８１】
すなわち、そのように上記で述べたとはいえ、ＵＥは、上記の動作を連続して行う必要はない。また、並列処理をさらに適用することもできる。
【０１８２】
ＵＥは、ステップ２１０でＣＭ  Ｓｅｒｖｉｃｅ  Ｒｅｑｕｅｓｔメッセージを２Ｇ／３Ｇ  ＲＡＮを介してＭＳＣ／ＶＬＲへ送信するように構成される。発信呼を接続するための標準の手順２２０がステップ２２０で続くが、前記手順は、詳細には記述しない。
【０１８３】
上記において、本発明による方法の多様な実施形態について論じ、かつ、詳細に提示してきた。前記実施形態は、回線交換型ネットワークとＬＴＥネットワークとＳＡＥネットワークとを備えた無線通信システム用に構成されている。従って、無線通信システムの中の一定のノードは、無線通信システムの中のＣＳサービスへのアクセスを可能にする方法の前記実施形態を実装するため、修正される。図７乃至１５に提示する無線通信システムは、以下を備えている。
【０１８４】
−ＳＡＥネットワーク内の移動性管理エンティティ（ＭＭＥ）ノード、
−ＣＳネットワーク内の移動通信交換局（ＭＳＣ）／在圏位置レジスタ（ＶＬＲ）ノード（３００）
−ＬＴＥネットワーク内のｅＮｏｄｅ  Ｂノード。
【０１８５】
さらに、ＬＴＥシステム内に登録されているユーザ装置ＵＥは、ノードであると考えられる。
【０１８６】
通信システムのさらに１つのノードは、回線交換型（ＣＳ）ネットワークの中のノードである、移動通信交換局（ＭＳＣ）兼在圏位置レジスタ（ＶＬＲ）ノードである。ＭＳＣ／ＶＬＲは、図１および２にそれぞれ関連して記述したが、そこでＭＳＣ／ＶＬＲは参照番号１４を有する。ＭＳＣ／ＶＬＲ３００（図２では１４）の一実施形態を、図１６にブロック図として略示する。ＭＳＣエンティティとＶＬＲエンティティとをそれぞれ、ＭＳＣモジュール３０２とＶＬＲモジュール３０４として示す。ＭＳＣとＶＬＲとは別個のモジュールとして示しているけれども、それらを１つのモジュールおよびエンティティとみなしてもよい。ＭＳＣ／ＶＬＲは、多様なエンティティおよびネットワークと通信するように構成されており、従って、データ情報を受信するためのデータ入力手段とデータ情報を送信するためのデータ出力手段とを備えている。
【０１８７】
本発明によるＭＳＣ／ＶＬＲの一実施形態によると、前記ＭＳＣ／ＶＬＲは、ＵＥを制御する移動管理エンティティ（ＭＭＥ）に関する情報と共にユーザ装置（ＵＥ）を登録するための手段３０６を備えており、そのＵＥおよびＭＭＥは、少なくともＳｙｓｔｅｍ  Ａｒｃｈｉｔｅｃｔｕｒｅ  Ｅｖｏｌｕｔｉｏｎ（ＳＡＥ）ネットワークを備えたパケット交換型領域の中に位置している。さらに、ＭＳＣ／ＶＬＲは、ＵＥを求めるＣＳ呼を受信した場合にページ要求を生成してＭＭＥへ送信するための手段３０８を備えている。
【０１８８】
本発明によるＭＳＣ／ＶＬＲの別の実施形態によると、前記ＭＳＣ／ＶＬＲは、ＵＥからのページ要求応答を受信するように所望された少なくとも１つの位置登録エリアＬＡに関する情報を含むように構成された、ページ要求を生成して送信するための手段３０８を備えている。
【０１８９】
さらに、ＭＳＣ／ＶＬＲ３００ノードの一実施形態では、前記ＭＳＣ／ＶＬＲは、ＬＴＥフォーマットでのＵＥの位置をＣＳフォーマットでの位置情報に変換するための処理手段３１０を備える。従って、ＭＳＣ／ＶＬＲは、ＬＴＥフォーマットでのＵＥの位置をＣＳフォーマットでの位置情報へ変換するためのマッピングテーブルを記憶するための手段３１２を備えており、前記マッピングテーブルは、ＬＴＥフォーマットでのＵＥの位置をＣＳフォーマットでの位置情報に変換するために処理手段によって使用される。
【０１９０】
通信システムのさらに１つのノードは、移動管理エンティティ（ＭＭＥ）ノード３２０であり、Ｌｏｎｇ  Ｔｅｒｍ  Ｅｖｏｌｕｔｉｏｎ（ＬＴＥ）ネットワークに接続するＳｙｓｔｅｍ  Ａｒｃｈｉｔｅｃｔｕｒｅ  Ｅｖｏｌｕｔｉｏｎ（ＳＡＥ）ネットワークの中に位置していてそれに接続しており、その様子を図１７に示す。ＭＭＥは、図２でシステムに関してすでに記述しており、図２ではＭＭＥは参照番号４０を有する。
【０１９１】
ＭＭＥの通常機能および対応する手段をモジュール３３２として示す。ＭＭＥは、多様なエンティティおよびネットワークと通信するように構成されており、従って、データ情報を受信するためのデータ入力手段とデータ情報を送信するためのデータ出力手段とを備えている。
【０１９２】
１つの実施形態では、ＭＭＥ３２０は、前記ＬＴＥネットワークに接続するユーザ装置（ＵＥ）に着信するＣＳ呼に関して呼び出し要求メッセージをＣＳネットワークから受信するための手段３２４と、呼び出し要求をＬＴＥネットワーク内のＵＥに転送する手段３２６とを備える。
【０１９３】
一実施形態では、ＭＭＥはさらに、ＬＴＥネットワーク内のユーザ装置の現在位置をＬＴＥフォーマットで記憶するための手段３２８と、ＬＴＥフォーマットでのＵＥの位置をＣＳフォーマットでの位置情報に変換するための処理手段３３０とを備える。ＭＭＥはさらに、ＬＴＥフォーマットでのＵＥの位置をＣＳフォーマットでの位置情報に変換する目的でマッピングテーブルを記憶するための手段３３２を備え、かつ、前記処理手段は、ＬＴＥフォーマットでのＵＥの位置をＣＳフォーマットでの位置情報に変換する目的でマッピングテーブルを使用するように構成される。
【０１９４】
無線通信システムで用いられるユーザ装置（ＵＥ）３４０は、システムのノードであるとみなされる。ユーザ装置は、本発明以外にもよく知られた諸機能をＵＥが実行するのを円滑化するための多くのさまざまな手段を備えてもよい。前記機能手段は、共通ブロックの中に集められ、それをＵＥモジュール３４２と表す。ＵＥは、無線基地局の無線アンテナと無線インタフェースを介して無線周波数電磁波と通信するためのアンテナ３４１を備えている。
【０１９５】
前記ＵＥの一実施形態では、ＵＥは、パケット交換のＬｏｎｇ  Ｔｅｒｍ  Ｅｖｏｌｕｔｉｏｎ（ＬＴＥ）ネットワークおよびＳｙｓｔｅｍ  Ａｒｃｈｉｔｅｃｔｕｒｅ  Ｅｖｏｌｕｔｉｏｎ（ＳＡＥ）ネットワークと通信するための手段３４４と、回線交換型（ＣＳ）ネットワークと通信するための手段３４６とを備えている。ＵＥはさらに、ＣＳネットワークに接続するための手段３４８と、着信する回線交換型（ＣＳ）呼を受信するための手段３５０とを備えてもよく、かつ、手段３５０は前記ＬＴＥネットワークおよびＳＡＥネットワークを経たＣＳネットワークからの前記着信ＣＳ呼に関する呼び出し要求を受信するための手段３５２を備え、そして、ＵＥはＣＳネットワークの中で呼び出し要求に応答するための手段３５４を備えてもよい。
【０１９６】
またＵＥは、Ｌｏｃａｔｉｏｎ  Ａｒｅａ（ＬＡ）情報を呼び出し要求から抽出するための手段３５６を備えてもよく、そのＬＡ情報は、そこからＵＥがページ要求に応答することが可能な、ＣＳネットワーク内の少なくとも１つのＬｏｃａｔｉｏｎ  Ａｒｅａ（ＬＡ）を示す。ＵＥはさらに、登録応答メッセージをＣＳネットワークから受信するための手段３５８を備え、その登録応答メッセージは、そこからＵＥがページ要求に応答することが可能な、ＣＳネットワーク内の少なくとも１つのＬｏｃａｔｉｏｎ  Ａｒｅａ（ＬＡ）を示す情報を含む。
【０１９７】
さらにＵＥは、ＬＴＥネットワークおよびＳＡＥネットワークに接続する一方で発信回線交換型（ＣＳ）呼を開始するための手段３６０を備えてもよい。
【０１９８】
最後に、本発明によるｅＮｏｄｅ  Ｂノード３７０の実施形態について述べよう。ｅＮｏｄｅ  Ｂは、図１９に示すＳｙｓｔｅｍ  Ａｒｃｈｉｔｅｃｔｕｒｅ  Ｅｖｏｌｕｔｉｏｎ（ＳＡＥ）ネットワークに接続するＬｏｎｇ  Ｔｅｒｍ  Ｅｖｏｌｕｔｉｏｎ（ＬＴＥ）ネットワークの中に位置し、かつ、それに接続している。ｅＮｏｄｅ  Ｂは、図２のシステムに関連して記述しており、そこでｅＮｏｄｅ  Ｂは参照番号２７を有している。
【０１９９】
ｅＮｏｄｅ  Ｂの通常の機能および対応する手段を、モジュール３７２として示す。ｅＮｏｄｅ  Ｂは、さまざまなエンティティおよびネットワークと通信するように構成されており、従って、データ情報を受信するためのデータ入力手段と、データ情報を送信するためのデータ出力手段とを備えている。
【０２００】
本発明の一実施形態によるｅＮｏｄｅ  Ｂ３７０は、前記ＬＴＥネットワークに接続しているユーザ装置（ＵＥ）に着信するＣＳ呼に関する呼び出し要求メッセージを受信するための手段３７２と、呼び出し要求をＬＴＥネットワーク内のＵＥに転送するための手段３７４とを備える。さらに、ｅＮｏｄｅ  Ｂは、ＬＴＥネットワーク内のユーザ装置の現在位置をＬＴＥ位置フォーマットで記憶するための手段３７６と、ＬＴＥフォーマットでのＵＥの位置をＣＳフォーマットでの位置情報に変換するための処理手段３７８とを備えてもよい。前記変換は、ＬＴＥフォーマットでのＵＥの位置をＣＳフォーマットでの位置情報に変換するためのマッピングテーブルを記憶する手段３８０によって可能となり、かつ、その場合、前記処理手段３７８は、ＬＴＥフォーマットでのＵＥの位置をＣＳフォーマットでの位置情報に変換するためのマッピングテーブルを使用するように構成される。
【０２０１】
ｅＮｏｄｅ  Ｂのさらなる実施形態では、前記ノードは、ＬＡ情報を、ｅＮｏｄｅ  Ｂからのブロードキャストチャネルの中で送信されるブロードキャスト情報の中に含めるための手段３８２を備える。
【０２０２】
ｅＮｏｄｅ  Ｂの一実施形態において、前記ノードは、ＧＳＭ／ＷＣＤＭＡセルの選択をＵＥが迅速化するのに役立つ追加情報を呼び出し要求の中に含めるための手段３８４を備える。
【０２０３】
さらなる実施形態では、ｅＮｏｄｅ  Ｂは、トリガおよび／またはトリガ信号を受信するための手段３８４と、前記トリガへの応答としてＬＡ情報を個々のＵＥへ送信するための手段３８８とを備えてもよい。
【０２０４】
ＬＴＥ＿Ｉｄｌｅでは、ＴＡ  Ｕｐｄａｔｅを受信するとき、ｅＮｏｄｅ  Ｂは、関連のＬＡ情報、例えば、ＬＡ  ＩＤをＴＡ  Ｕｐｄａｔｅ応答の一部として送信するように構成される。あるいは、ｅＮｏｄｅ  Ｂは、関連のＬＡ情報を専用メッセージとして送信するように構成される。
【０２０５】
またＬＴＥ＿Ａｃｔｉｖｅでは、ｅＮｏｄｅ  Ｂは、トリガ／トリガ信号を受信し、かつ、前記トリガへの応答として、ＬＡ情報を個々のＵＥへ送信するように構成される。
【０２０６】
１つのそのようなトリガは、構成であり、すなわち、現在のセルのＬＡ情報が、前にＵＥへ送信されたものとは異なる場合にはすぐに、ＬＡ情報がＵＥに送信される。ＬＡ情報が前には送信されていなかった場合には、ＵＥがＬＴＥ＿Ａｃｔｉｖｅ状態になるとすぐに、ＬＡ情報が送信される。
【０２０７】
もう１つのトリガは、ＵＥの測定報告が受信されることである。さらに、１つのトリガは、ｅＮｏｄｅ  Ｂの測定を受信することである。また、ＵＥへ送信された別のメッセージと連結されて、または専用メッセージとして、関連のＬＡ情報をｅＮｏｄｅ  Ｂが送信する場合、１つのトリガが、生成される。
【０２０８】
本発明の多様な実施形態について上記に述べた。前記実施形態は、例えばマイクロプロセッサ、コンピュータ、ＣＰＵ（Ｃｏｍｐｕｔｅｒ  Ｐｒｏｃｅｓｓｉｎｇ  Ｕｎｉｔ）等のような処理手段のための、例えばソフトウェアプログラム命令のような、多くの方法で実装されてもよい。また本発明は、ハードウェアまたはファームウェアとして、あるいは少なくとも前記の例の２つの組み合わせとして実装されてもよい。
【０２０９】
本発明は、多くのさまざまな形態で実施されてもよく、本書で述べた実施形態に限定されると解釈されてはならない。むしろ、これらの実施形態は、本開示が十分であって完全であるように、そして添付の請求項を完全にサポートするように提供されている。
【図１】
0005481506.tif 000002
【図２】
0005481506.tif 000003
【図３】
0005481506.tif 000004
【図４】
0005481506.tif 000005
【図５】
0005481506.tif 000006
【図６】
0005481506.tif 000007
【図７】
0005481506.tif 000008
【図８】
0005481506.tif 000009
【図９】
0005481506.tif 000010
【図１０】
0005481506.tif 000011
【図１１】
0005481506.tif 000012
【図１２】
0005481506.tif 000013
【図１３】
0005481506.tif 000014
【図１４】
0005481506.tif 000015
【図１５】
0005481506.tif 000016
【図１６】
0005481506.tif 000017
【図１７】
0005481506.tif 000018
【図１８】
0005481506.tif 000019
【図１９】
0005481506.tif 000020